(57)【特許請求の範囲】
【請求項１】
出金すべき紙幣を金種別に収納する複数の紙幣収納ボックスと、前記複数の紙幣収納ボックスから繰り出された紙幣を出金する出金紙幣搬送路と、前記複数の紙幣収納ボックスから繰り出された紙幣のうち、所定のように搬送されていない紙幣を回収して、収納する紙幣回収ボックスと、前記出金紙幣搬送路に設けられ、少なくとも紙幣の光学的性質を検出して、紙幣の光学データを生成する光学センサを有し、前記複数の紙幣収納ボックスから繰り出された出金すべき紙幣を判別するための検出データを生成する出金紙幣判別ユニットと、前記出金紙幣搬送路に設けられ、紙幣に書き込まれたＲＦＩＤデータを読み取る第一のＲＦＩＤリーダーと、基準光学データを記憶している基準データ記憶手段とを備え、さらに、前記第一のＲＦＩＤリーダーによって読み取られた第一のＲＦＩＤデータに基づいて、紙幣の真偽、金種を暫定的に判定して、対応する金種の基準光学データを前記基準データ記憶手段から読み出して、前記光学センサによって生成された紙幣の光学データと対比して、紙幣の汚損レベルが所定の汚損レベルを越えているか否かおよび／または紙幣の搬送状態を判別する制御手段と、前記第一のＲＦＩＤリーダーと、少なくとも前記第一のＲＦＩＤリーダーの近傍の前記出金紙幣搬送路を覆うように設けられ、前記第一のＲＦＩＤリーダーから発信された周波数の電波を遮蔽するケーシングとを備えたことを特徴とする紙幣処理機。
【請求項２】
前記ＲＦＩＤデータが、少なくとも、その紙幣を特定するＩＤデータと、その紙幣の金種を特定する金種データを含んでいることを特徴とする請求項１に記載の紙幣処理機。
【請求項３】
さらに、前記複数の紙幣収納ボックスに収納されている出金すべき紙幣の金種別枚数に関するデータおよび前記紙幣回収ボックスに収納されている紙幣の金種別枚数に関するデータを格納するメモリ手段を備え、前記制御手段が、前記出金紙幣判別ユニットによって生成された検出データに基づいて、前記メモリ手段に格納された前記複数の紙幣収納ボックスに収納されている出金すべき紙幣の金種別枚数に関するデータを書き換えるように構成されたことを特徴とする請求項１または２に記載の紙幣処理機。
【請求項４】
前記制御手段が、前記第一のＲＦＩＤリーダーが、所定の時間内に、２枚以上の紙幣のＲＦＩＤデータを検出したときに、２枚以上の紙幣の全部または一部が重なり合って、搬送されていると判別して、それらの紙幣を前記紙幣回収ボックス内に回収するとともに、所定の時間内に、前記第一のＲＦＩＤリーダーによって検出された紙幣のＲＦＩＤデータに基づいて、前記紙幣回収ボックス内に回収された紙幣の金種別枚数を算出し、前記メモリ手段に格納された前記複数の紙幣収納ボックスに収納されている出金すべき紙幣の金種別枚数に関するデータおよび前記紙幣回収ボックスに収納されている紙幣の金種別枚数に関するデータを書き換えるように構成されたことを特徴とする請求項３に記載の紙幣処理機。
【請求項５】
前記第一のＲＦＩＤリーダーが前記出金紙幣判別ユニット内に設けられたことを特徴とする請求項１ないし４のいずれか１項に記載の紙幣処理機。
【請求項６】
前記出金紙幣判別ユニットが、前記第一のＲＦＩＤリーダーから発信された周波数の電波を遮蔽するケーシングによって覆われていることを特徴とする請求項５に記載の紙幣処理機。
【請求項７】
前記制御手段が、前記出金紙幣判別ユニットの前記光学センサによって検出された紙幣の光学データに基づいて、出金すべき紙幣が、その短辺が紙幣の搬送方向と角度をなして送られているか否かを判別して、出金すべき紙幣が、その短辺が紙幣の搬送方向と角度をなして送られていると判別したときに、その紙幣を前記紙幣回収ボックス内に回収するとともに、前記第一のＲＦＩＤリーダーによって検出された紙幣のＲＦＩＤデータに基づいて、前記紙幣回収ボックス内に回収された紙幣の金種を判別し、前記メモリ手段に格納された前記複数の紙幣収納ボックスに収納されている出金すべき紙幣の金種別枚数に関するデータおよび前記紙幣回収ボックスに収納されている紙幣の金種別枚数に関するデータを書き換えるように構成されたことを特徴とする請求項３または４に記載の紙幣処理機。
【請求項８】
さらに、紙幣を投入する紙幣入金口と、少なくとも紙幣の光学データを検出する光学センサ手段を備え、前記紙幣入金口に投入された紙幣を判別する入金紙幣判別ユニットとを備え、前記複数の紙幣収納ボックスが、前記入金紙幣判別ユニットによって、受け入れ可能と判別された紙幣を収納するように構成されたことを特徴とする請求項１ないし７のいずれか１項に記載の紙幣処理機。
【請求項９】
さらに、前記入金紙幣判別ユニットによって、受け入れ可能と判別された紙幣を、金種別に一時的に貯留する複数の紙幣一時貯留ボックスを備えたことを特徴とする請求項８に記載の紙幣処理機。
【請求項１０】
前記入金紙幣判別ユニットが、さらに、第二のＲＦＩＤリーダーを備え、前記第二のＲＦＩＤリーダーから発信された周波数の電波を遮蔽するケーシングによって覆われていることを特徴とする請求項８または９に記載の紙幣処理機。
【発明の詳細な説明】
【技術分野】
【０００１】
本発明は、紙幣処理機に関するものであり、さらに詳細には、紙幣処理機内に収納された紙幣を、１枚ずつ、紙幣出金部に繰り出して、出金する際に、出金すべき紙幣が、２枚以上の紙幣の全部あるいは一部が重なり合って、搬送されていると判別され、出金されることなく、紙幣処理機内に回収された場合においても、回収された紙幣の金種および金種別枚数を正確に把握することができ、紙幣処理機内の紙幣を、所望のように、管理することができる紙幣処理機に関するものである。
【背景技術】
【０００２】
紙幣処理機内に収納された紙幣を、１枚ずつ、紙幣出金部に繰り出して、出金する紙幣処理機が知られており、紙幣処理機内に、金種別に収納された紙幣を、１枚ずつ、紙幣出金部に繰り出して、出金する紙幣処理機も知られている。
【０００３】
さらに、入金された紙幣を、金種別に収納し、紙幣を出金するにあたり、収納された紙幣を出金のため利用するように構成された紙幣処理機も知られている（たとえば、特開２００３−５１０４６号公報など。）。
【０００４】
このように、紙幣処理機内に収納された紙幣を、１枚ずつ、紙幣出金部に繰り出して、出金するように構成された紙幣処理機にあっては、紙幣を、１枚ずつ、紙幣出金部に繰り出す際に、２枚以上の紙幣の全部あるいは一部が重なり合って、搬送されることがあり、このような場合に、それらの紙幣を、そのまま、紙幣出金部に向けて搬送すると、搬送路内で、紙幣がジャミングを起こすおそれがあった。
【０００５】
そこで、紙幣処理機内に収納された紙幣を、１枚ずつ、紙幣出金部に繰り出して、出金するように構成された紙幣処理機は、出金すべき紙幣が、１枚ずつ、搬送されているか否かを判別し、出金すべき紙幣が、２枚以上の紙幣の全部あるいは一部が重なり合って、搬送されている場合には、それらの紙幣を、紙幣出金部に送ることなく、紙幣回収ボックス内に回収するように構成されている。
【発明の開示】
【発明が解決しようとする課題】
【０００６】
しかしながら、紙幣処理機内に収納された紙幣を、１枚ずつ、紙幣出金部に繰り出して、出金する従来の紙幣処理機にあっては、出金すべき紙幣が、１枚ずつ、搬送されているか否かが、光学センサによって検出された出金すべき紙幣の光学データや磁気センサによって検出された出金すべき紙幣の磁気データに基づいて、判別するように構成されているため、出金すべき紙幣が、２枚以上の紙幣の全部あるいは一部が重なり合って、搬送されていると判別した場合に、それらの紙幣の金種および何枚の紙幣が、その全部あるいは一部が重なり合って、搬送されているかを精度よく判別することは不可能であり、したがって、紙幣回収ボックス内に回収されている紙幣の金種および金種別枚数を正確に把握することが著しく困難であり、紙幣処理機内の紙幣を、所望のように、管理することができないという問題を有していた。
【０００７】
一方、近年、ＲＦＩＤ（Radio Frequency-Identification)システムを用いて、読み取り可能なデータ（以下、「ＲＦＩＤデータ」という。）を、紙幣に書き込んで、紙幣の偽造を防止することが提案されている。ＲＦＩＤシステムは、アンテナとコントローラを備えたＲＦＩＤライター、アンテナとコントローラを備えたＲＦＩＤリーダーならびにＩＣチップとアンテナを内蔵したインレットと呼ばれる薄いフイルムとによって構成されており、ＲＦＩＤライターから所定の周波数の電波、たとえば、マイクロ波帯の電波を発信し、インレットのアンテナに受信させて、ＩＣチップに、ＲＦＩＤデータを書き込み、ＲＦＩＤリーダーから所定の周波数、たとえば、マイクロ波帯の電波を発信し、インレットのアンテナに受信させて、ＩＣチップに書き込まれたＲＦＩＤデータを読み取るものである。
【０００８】
しかしながら、ＲＦＩＤシステムを利用して、紙幣処理機をどのように構成するかについての具体的な提案はほとんどなされていなかった。
【０００９】
したがって、本発明は、紙幣処理機内に収納された紙幣を、１枚ずつ、紙幣出金部に繰り出して、出金する際に、出金すべき紙幣が、２枚以上の紙幣の全部あるいは一部が重なり合って、搬送されていると判別され、出金されることなく、紙幣処理機内に回収された場合においても、回収された紙幣の金種および金種別枚数を正確に把握することができ、紙幣処理機内の紙幣を、所望のように、管理することができる紙幣処理機を提供することを目的とするものである。
【課題を解決するための手段】
【００１０】
本発明のかかる目的は、出金すべき紙幣を金種別に収納する複数の紙幣収納ボックスと、前記複数の紙幣収納ボックスから繰り出された紙幣を出金する出金紙幣搬送路と、前記複数の紙幣収納ボックスから繰り出された紙幣のうち、所定のように搬送されていない紙幣を回収して、収納する紙幣回収ボックスと、前記出金紙幣搬送路に設けられ、少なくとも紙幣の光学的性質を検出して、紙幣の光学データを生成する光学センサを有し、前記複数の紙幣収納ボックスから繰り出された出金すべき紙幣を判別するための検出データを生成する出金紙幣判別ユニットと、前記出金紙幣搬送路に設けられ、紙幣に書き込まれたＲＦＩＤデータを読み取る第一のＲＦＩＤリーダーと、基準光学データを記憶している基準データ記憶手段とを備え、さらに、前記第一のＲＦＩＤリーダーによって読み取られた第一のＲＦＩＤデータに基づいて、紙幣の真偽、金種を暫定的に判定して、対応する金種の基準光学データを前記基準データ記憶手段から読み出して、前記光学センサによって生成された紙幣の光学データと対比して、紙幣の汚損レベルが所定の汚損レベルを越えているか否かおよび／または紙幣の搬送状態を判別する制御手段と、前記第一のＲＦＩＤリーダーと、少なくとも前記第一のＲＦＩＤリーダーの近傍の前記出金紙幣搬送路を覆うように設けられ、前記第一のＲＦＩＤリーダーから発信された周波数の電波を遮蔽するケーシングとを備えたことを特徴とする紙幣処理機によって達成される。
【００１１】
紙幣処理機内に収納された紙幣を、１枚ずつ、紙幣出金部に繰り出して、出金するように構成された従来の紙幣処理機においては、出金すべき紙幣が、２枚以上の紙幣の全部あるいは一部が重なり合って、搬送されている場合には、光学センサによって検出された出金すべき紙幣の光学データや磁気センサによって検出された出金すべき紙幣の磁気データに基づいて、紙幣の金種や枚数を正確に判別することがきわめて困難であったが、本発明によれば、紙幣処理機は、複数の紙幣収納ボックスから繰り出された紙幣を出金する出金紙幣搬送路に、紙幣に書き込まれたＲＦＩＤデータを読み取る第一のＲＦＩＤリーダーを備えているので、出金すべき紙幣が、２枚以上の紙幣の全部あるいは一部が重なり合って、搬送されている場合においても、第一のＲＦＩＤリーダーにより、紙幣に書き込まれたＲＦＩＤデータを読み取ることによって、紙幣回収ボックス内に回収される紙幣の金種および金種別枚数を正確に把握することができ、したがって、紙幣処理機内の紙幣を、所望のように、管理することが可能になる。
また、前記第一のＲＦＩＤリーダーと、少なくとも前記第一のＲＦＩＤリーダーの近傍の前記出金紙幣搬送路が、前記第一のＲＦＩＤリーダーから発信された周波数の電波を遮蔽するケーシングによって覆われているから、第一のＲＦＩＤリーダー近傍の出金搬送路上を搬送されている紙幣に書き込まれたＲＦＩＤデータのみを選択的に読み取ることができ、第一のＲＦＩＤリーダーによって読み取られた紙幣のＲＦＩＤデータに基づいて、所望のように、紙幣の管理をすることが可能になる。
【００１２】
本発明の好ましい実施態様においては、前記ＲＦＩＤデータが、少なくとも、その紙幣を特定するＩＤデータと、その紙幣の金種を特定する金種データを含んでいる。
【００１３】
本発明のさらに好ましい実施態様においては、紙幣処理機は、さらに、前記第一のＲＦＩＤリーダーによって読み取られたＲＦＩＤデータに基づいて、紙幣を判別する制御手段と、前記複数の紙幣収納ボックスに収納されている出金すべき紙幣の金種別枚数に関するデータおよび前記紙幣回収ボックスに収納されている紙幣の金種別枚数に関するデータを格納するメモリ手段を備えている。
【００１６】
本発明のさらに好ましい実施態様においては、前記制御手段が、前記第一のＲＦＩＤリーダーが、所定の時間内に、２枚以上の紙幣のＲＦＩＤデータを検出したときに、２枚以上の紙幣の全部または一部が重なり合って、搬送されていると判別して、それらの紙幣を前記紙幣回収ボックス内に回収するとともに、所定の時間内に、前記第一のＲＦＩＤリーダーによって検出された紙幣のＲＦＩＤデータに基づいて、前記紙幣回収ボックス内に回収された紙幣の金種別枚数を算出し、前記メモリ手段に格納された前記複数の紙幣収納ボックスに収納されている出金すべき紙幣の金種別枚数に関するデータおよび前記紙幣回収ボックスに収納されている紙幣の金種別枚数に関するデータを書き換えるように構成されている。
【００１７】
本発明のさらに好ましい実施態様によれば、紙幣回収ボックス内に回収された紙幣の金種および枚数を正確に判別することができ、したがって、紙幣回収ボックス内に回収される紙幣の金種および金種別枚数を正確に把握することが可能になるから、紙幣処理機内の紙幣を、所望のように、管理することが可能になる。
【００１８】
本発明の好ましい実施態様においては、紙幣処理機は、さらに、前記出金紙幣搬送路に、少なくとも紙幣の光学データを検出する光学センサを有し、前記複数の紙幣収納ボックスから繰り出された出金すべき紙幣を判別するための検出データを生成する出金紙幣判別ユニットを備え、前記制御手段が、前記出金紙幣判別ユニットによって生成された検出データに基づいて、前記メモリ手段に格納された前記複数の紙幣収納ボックスに収納されている出金すべき紙幣の金種別枚数に関するデータを書き換えるように構成されている。
【００１９】
出金すべき紙幣が、その短辺が紙幣の搬送方向と角度をなして送られている場合には、下流側の搬送路内で、その紙幣がジャミングを起こすおそれがあるため、その紙幣を紙幣回収ボックスに送って、回収することが好ましいが、紙幣処理機内に収納された紙幣を、１枚ずつ、紙幣出金部に繰り出して、出金するように構成された従来の紙幣処理機においては、出金すべき紙幣が、その短辺が紙幣の搬送方向と角度をなして送られている場合に、光学センサによって検出された出金すべき紙幣の光学データや磁気センサによって検出された出金すべき紙幣の磁気データに基づいて、その紙幣の金種を正確に判定することがきわめて困難であり、したがって、紙幣回収ボックス内に回収される紙幣の金種および金種別枚数を正確に把握することがきわめて困難であった。しかしながら、本発明の好ましい実施態様によれば、紙幣処理機は、出金紙幣搬送路に、少なくとも紙幣の光学データを検出する光学センサを備え、複数の紙幣収納ボックスから繰り出された出金すべき紙幣を判別する出金紙幣判別ユニットと、第一のＲＦＩＤリーダーを備えているから、光学センサによって検出された紙幣の光学データに基づき、出金すべき紙幣が、その短辺が紙幣の搬送方向と角度をなして送られていると判別し、その紙幣を紙幣回収ボックス内に回収した場合に、第一のＲＦＩＤリーダーにより、紙幣に書き込まれたＲＦＩＤデータを読み取ることによって、紙幣回収ボックス内に回収された紙幣の金種および金種別枚数を正確に把握することができ、したがって、紙幣処理機内の紙幣を、所望のように、管理することが可能になる。
【００２０】
本発明のさらに好ましい実施態様においては、前記第一のＲＦＩＤリーダーが前記出金紙幣判別ユニット内に設けられている。
【００２１】
本発明のさらに好ましい実施態様においては、前記出金紙幣判別ユニットが、前記第一のＲＦＩＤリーダーから発信された周波数の電波を遮蔽するケーシングによって覆われている。
【００２２】
本発明のさらに好ましい実施態様においては、前記制御手段が、前記第一のＲＦＩＤリーダーが、所定の時間内に、２枚以上の紙幣のＲＦＩＤデータを検出したときに、２枚以上の紙幣の全部または一部が重なり合って、搬送されていると判別して、それらの紙幣を前記紙幣回収ボックス内に回収するとともに、所定の時間内に、前記第一のＲＦＩＤリーダーによって検出された紙幣のＲＦＩＤデータに基づいて、前記紙幣回収ボックス内に回収された紙幣の金種別枚数を算出し、前記メモリ手段に格納された前記複数の紙幣収納ボックスに収納されている出金すべき紙幣の金種別枚数に関するデータおよび前記紙幣回収ボックスに収納されている紙幣の金種別枚数に関するデータを書き換えるように構成されている。
【００２３】
本発明のさらに好ましい実施態様によれば、紙幣回収ボックス内に回収された紙幣の金種および枚数を正確に判別することができ、したがって、紙幣回収ボックス内に回収される紙幣の金種および金種別枚数を正確に把握することが可能になるから、紙幣処理機内の紙幣を、所望のように、管理することが可能になる。
【００２４】
本発明のさらに好ましい実施態様においては、紙幣処理機が、さらに、紙幣を投入する紙幣入金口と、少なくとも紙幣の光学データを検出する光学センサ手段を備え、前記紙幣入金口に投入された紙幣を判別する紙幣判別ユニットとを備え、前記複数の紙幣収納ボックスが、前記紙幣判別ユニットによって、受け入れ可能と判別された紙幣を収納するように構成されている。
【００２５】
本発明のさらに好ましい実施態様においては、紙幣処理機が、さらに、前記紙幣判別ユニットによって、受け入れ可能と判別された紙幣を、金種別に一時的に貯留する複数の紙幣一時貯留ボックスを備えている。
【００２６】
本発明のさらに好ましい実施態様においては、前記紙幣判別ユニットが、さらに、第二のＲＦＩＤリーダーを備え、前記第二のＲＦＩＤリーダーから発信された周波数の電波を遮蔽するケーシングによって覆われている。
【００２７】
本発明のさらに好ましい実施態様によれば、紙幣入金口に投入された紙幣を判別する紙幣判別ユニットが、さらに、第二のＲＦＩＤリーダーを備えているから、第二のＲＦＩＤリーダーが検出したＲＦＩＤデータに基づいて、紙幣入金口に投入された紙幣の金種を暫定的に決定し、光学センサ手段によって検出された紙幣の光学データと、暫定的に決定された紙幣の金種に対応する金種の紙幣の基準光学データとを比較することによって、紙幣が、真正でかつ現に流通している紙幣か否か、真正でかつ現に流通している紙幣である場合は、その金種および汚損のレベルを判別することができ、したがって、紙幣処理機に投入された紙幣の判別に要する時間を大幅に短縮することが可能になるとともに、紙幣処理機に投入された紙幣の判別精度を大幅に向上させることが可能になる。
【発明の効果】
【００２８】
本発明によれば、紙幣処理機内に収納された紙幣を、１枚ずつ、紙幣出金部に繰り出して、出金する際に、出金すべき紙幣が、２枚以上の紙幣の全部あるいは一部が重なり合って、搬送されていると判別され、出金されることなく、紙幣処理機内に回収された場合においても、回収された紙幣の金種および金種別枚数を正確に把握することができ、紙幣処理機内の紙幣を、所望のように、管理することができる紙幣処理機を提供することが可能になる。
【発明を実施するための最良の形態】
【００２９】
以下、添付図面に基づいて、本発明の好ましい実施態様につき、詳細に説明を加える。
【００３０】
図１は、本発明の好ましい実施態様にかかる紙幣処理機の略縦断面図である。
【００３１】
本実施態様にかかる紙幣処理機は、銀行などの金融機関内で使用される紙幣入出金機として構成されており、処理すべき紙幣には、紙幣の発行権限を有する機関によって、ＩＣチップとアンテナを内蔵したインレットが形成され、インレット中のＩＣチップに、紙幣のＩＤデータ、紙幣の金種データなどのＲＦＩＤデータが、特定のフォーマットで、記録されている。ここに、紙幣に形成されたインレット中のＩＣチップは、紙幣の発行権限を有する機関によって、ＩＣチップに書き込まれた紙幣のＩＤデータ、紙幣の金種データなどのＲＦＩＤデータが、紙幣の流通過程において、改ざんされることを防止するため、読み取り専用に構成されている。
【００３２】
インレットを紙幣に形成する方法としては、紙幣用の紙を抄く際に、紙幣用の紙にインレットを埋め込む方法、紙幣にインレットを貼り付ける方法、紙幣にインレットを印刷する方法などが挙げられるが、とくに限定されるものではない。
【００３３】
図１に示されるように、本実施態様にかかる紙幣処理機は、ハウジング１０を備え、ハウジング１０の上部には、紙幣が投入される紙幣入金口１１、紙幣を出金する紙幣出金口１２および投入された紙幣で、受け入れ不能と判別された紙幣を返却する紙幣返却口１３が設けられている。
【００３４】
図１に示されるように、本実施態様にかかる紙幣処理機は、さらに、搬送路１４を介して、紙幣入金口１１に接続され、紙幣繰り出し手段（図示せず）により、紙幣入金口１１から、１枚ずつ、繰り出された紙幣を判別する紙幣判別部１５を備えている。
【００３５】
紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット（図示せず）と、紙幣に形成されたインレット中のＩＣチップに記録された紙幣のＩＤデータ、紙幣の金種データなどのＲＦＩＤデータを読み取るＲＦＩＤリーダー（図示せず）とを備えており、紙幣判別部１５のセンサユニットによって生成された紙幣の光学データおよび磁気データならびにＲＦＩＤリーダーによって読み取られたＲＦＩＤデータは、ＣＰＵ（図示せず）に出力され、ＣＰＵによって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かが判別され、１枚ずつ、その短辺が紙幣の搬送方向と平行になるように送られている真正でかつ現に流通している紙幣が金種別に計数されるように構成されている。
【００３６】
このように、紙幣判別部１５は、ＲＦＩＤリーダーを備えているため、ＲＦＩＤリーダーが紙幣判別部１５外に存在する紙幣のＲＦＩＤデータを読み取ることがないように、ＲＦＩＤリーダーから発信される周波数の電波を遮蔽する性質を有する材料によって形成されたケーシング１５ｃによって覆われている。
【００３７】
図１に示されるように、紙幣判別部１５の下流側には、搬送路１６が接続されており、搬送路１６から、紙幣返却口１３に接続された分岐搬送路１７が分岐し、分岐搬送路１７の分岐部には、紙幣を、搬送路１６および分岐搬送路１７のいずれかに選択的に導くゲート部材１８が設けられている。
【００３８】
紙幣判別部１５のセンサユニットによって生成された紙幣の光学データおよび磁気データならびにＲＦＩＤリーダーによって読み取られたＲＦＩＤデータに基づき、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、搬送路１６、ゲート部材１８および分岐搬送路１７を介して、紙幣返却口１３に送られて、オペレータに返却される。
【００３９】
一方、分岐搬送路１７の分岐部の下流側の搬送路１６からは、分岐搬送路１９、分岐搬送路２０、分岐搬送路２１および分岐搬送路２２が、この順に分岐しており、分岐搬送路１９の分岐部には、紙幣を搬送路１６および分岐搬送路１９のいずれかに選択的に導くゲート部材２３が設けられ、分岐搬送路２０の分岐部には、紙幣を搬送路１６および分岐搬送路２０のいずれかに選択的に導くゲート部材２４が設けられている。また、分岐搬送路２１の分岐部には、紙幣を搬送路１６および分岐搬送路２１のいずれかに選択的に導くゲート部材２５が設けられ、分岐搬送路２２の分岐部には、紙幣を搬送路１６および分岐搬送路２２のいずれかに選択的に導くゲート部材２６が設けられている。
【００４０】
図１に示されるように、搬送路１６の下方には、紙幣一時貯留ユニット２７が設けられ、分岐搬送路１９、分岐搬送路２０、分岐搬送路２１および分岐搬送路２２は、紙幣一時貯留ユニット２７内に延び、搬送路１６は、分岐搬送路２２の分岐部の下流側において、紙幣一時貯留ユニット２７内に延びている。紙幣一時貯留ユニット２７は、通常は、ロック部材（図示せず）によって、ロックされて、紙幣処理機に固定され、ロック部材によるロックが解除されたときは、スライドさせて、紙幣処理機から取り出し可能に構成されている。紙幣一時貯留ユニット２７は、紙幣処理機に入金されるべき紙幣を、金種別に、一時的に貯留するものである。
【００４１】
本実施態様においては、紙幣処理機は、４種類の金種の紙幣を入出金可能で、かつ、汚損レベルが所定レベルを超えた汚損紙幣を回収可能に構成されており、したがって、紙幣一時貯留ユニット２７は、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄを備えている。
【００４２】
図１に示されるように、分岐搬送路１９は、汚損紙幣一時貯留ボックス２８に接続されている。一方、分岐搬送路２０、分岐搬送路２１および分岐搬送路２２は、第一の紙幣一時貯留ボックス２７ａ、第二の紙幣一時貯留ボックス２７ｂおよび第三の紙幣一時貯留ボックス２７ｃに接続され、搬送路１６は、分岐搬送路２２の分岐部の下流側で、第四の紙幣一時貯留ボックス２７ｄに接続されている。
【００４３】
したがって、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られているが、汚損のレベルが所定レベルを超えていると判別された汚損紙幣は、搬送路１６、ゲート部材１８、搬送路１６、ゲート部材２３および分岐搬送路１９を介して、汚損紙幣一時貯留ボックス２８内に送られて、一時的に貯留される。
【００４４】
また、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られていると判別された紙幣のうち、第一の金種の紙幣は、搬送路１６、ゲート部材１８、搬送路１６、ゲート部材２３、搬送路１６、ゲート部材２４および分岐搬送路２０を介して、第一の紙幣一時貯留ボックス２７ａ内に送られて、一時的に貯留され、第二の金種の紙幣は、搬送路１６、ゲート部材１８、搬送路１６、ゲート部材２３、搬送路１６、ゲート部材２４、搬送路１６、ゲート部材２５および分岐搬送路２１を介して、第二の紙幣一時貯留ボックス２７ｂ内に送られて、一時的に貯留される。
【００４５】
一方、真正でかつ現に流通している紙幣で、１枚ずつ、その短辺が紙幣の搬送方向と平行になるように送られていると判別された紙幣のうち、第三の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および分岐搬送路２２を介して、第三の紙幣一時貯留ボックス２７ｃ内に送られて、一時的に貯留され、第四の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および搬送路１６を介して、第四の紙幣一時貯留ボックス２７ｄ内に送られて、一時的に貯留される。
【００４６】
図１に示されるように、紙幣一時貯留ユニット２７の下方には、紙幣処理機に入金された紙幣を、金種別に収納する紙幣収納ユニット３０が設けられている。
【００４７】
紙幣収納ユニット３０は、通常は、ロック部材（図示せず）によって、ロックされて、紙幣処理機に固定され、ロック部材によるロックが解除されたときは、スライドさせて、紙幣処理機から取り出し可能に構成されている。
【００４８】
図１に示されるように、紙幣収納ユニット３０は、汚損紙幣一時貯留ボックス２８に一時的に貯留された汚損紙幣を収納する汚損紙幣収納ボックス３１と、第一の紙幣一時貯留ボックス２７ａ内に一時的に貯留された第一の金種の紙幣を収納する第一の紙幣収納ボックス３０ａと、第二の紙幣一時貯留ボックス２７ｂ内に一時的に貯留された第二の金種の紙幣を収納する第二の紙幣収納ボックス３０ｂと、第三の紙幣一時貯留ボックス２７ｃ内に一時的に貯留された第三の金種の紙幣を収納する第三の紙幣収納ボックス３０ｃと、第四の紙幣一時貯留ボックス２７ｄ内に一時的に貯留された第四の金種の紙幣を収納する第四の紙幣収納ボックス３０ｄとを備えている。
【００４９】
図１には図示されていないが、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄの底部は、シャッタによって構成され、シャッタを開放することによって、汚損紙幣一時貯留ボックス２８内に一時的に貯留された汚損紙幣、第一の紙幣一時貯留ボックス２７ａ内に一時的に貯留された第一の金種の紙幣、第二の紙幣一時貯留ボックス２７ｂ内に一時的に貯留された第二の金種の紙幣、第三の紙幣一時貯留ボックス２７ｃ内に一時的に貯留された第三の金種の紙幣および第四の紙幣一時貯留ボックス２７ｄ内に一時的に貯留された第四の金種の紙幣が、それぞれ、汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄ内に送られて、収納されるように構成されている。
【００５０】
図１に示されるように、第一の紙幣収納ボックス３０ａの内壁には、第一の紙幣収納ボックス３０ａ内に送られた紙幣を係止可能な一対の係止爪３２ａ、３２ａが、第一の紙幣収納ボックス３０ａの内壁面と滑らかに連なる退避位置と、第一の紙幣収納ボックス３０ａの内壁面から突出した突出位置との間で、支点まわりに揺動可能で、かつ、昇降可能に設けられ、第二の紙幣収納ボックス３０ｂの内壁には、第二の紙幣収納ボックス３０ｂ内に送られた紙幣を係止可能な一対の係止爪３２ｂ、３２ｂが、第二の紙幣収納ボックス３０ｂの内壁面と滑らかに連なる退避位置と、第二の紙幣収納ボックス３０ｂの内壁面から突出した突出位置との間で、支点まわりに揺動可能で、かつ、昇降可能に設けられている。また、第三の紙幣収納ボックス３０ｃの内壁には、第三の紙幣収納ボックス３０ｃ内に送られた紙幣を係止可能な一対の係止爪３２ｃ、３２ｃが、第三の紙幣収納ボックス３０ｃの内壁面と滑らかに連なる退避位置と、第三の紙幣収納ボックス３０ｃの内壁面から突出した突出位置との間で、支点まわりに揺動可能で、かつ、昇降可能に設けられ、第四の紙幣収納ボックス３０ｄの内壁には、第四の紙幣収納ボックス３０ｄ内に送られた紙幣を係止可能な一対の係止爪３２ｄ、３２ｄが、第四の紙幣収納ボックス３０ｄの内壁面と滑らかに連なる退避位置と、第四の紙幣収納ボックス３０ｄの内壁面から突出した突出位置との間で、支点まわりに揺動可能で、かつ、昇降可能に設けられている。
【００５１】
図１に示されるように、第一の紙幣収納ボックス３０ａの下部には、第一の紙幣収納ボックス３０ａ内に収納された紙幣を、出金すべき紙幣として、１枚ずつ、出金紙幣搬送路３５内に繰り出す第一の紙幣繰り出し部３３ａが設けられ、第二の紙幣収納ボックス３０ｂの下部には、第二の紙幣収納ボックス３０ｂ内に収納された紙幣を、出金すべき紙幣として、１枚ずつ、出金紙幣搬送路３５内に繰り出す第二の紙幣繰り出し部３３ｂが設けられている。さらに、第三の紙幣収納ボックス３０ｃの下部には、第三の紙幣収納ボックス３０ｃ内に収納された紙幣を、出金すべき紙幣として、１枚ずつ、出金紙幣搬送路３５内に繰り出す第三の紙幣繰り出し部３３ｃが設けられ、第四の紙幣収納ボックス３０ｄの下部には、第四の紙幣収納ボックス３０ｄ内に収納された紙幣を、出金すべき紙幣として、１枚ずつ、出金紙幣搬送路３５内に繰り出す第四の紙幣繰り出し部３３ｄが設けられている。
【００５２】
ここに、本実施態様においては、汚損紙幣収納ボックス３１内に収納された汚損紙幣は回収され、出金には利用されないため、汚損紙幣収納ボックス３１内に収納された汚損紙幣を、出金紙幣搬送路３５内に繰り出すための紙幣繰り出し部は設けられていない。
【００５３】
図１に示されるように、出金紙幣搬送路３５には、第一の紙幣収納ボックス３０ａ、第二の紙幣収納ボックス３０ｂ、第三の紙幣収納ボックス３０ｃあるいは第四の紙幣収納ボックス３０ｄから繰り出された出金すべき紙幣を判別するとともに、出金すべき紙幣を金種別に計数する出金紙幣判別部４０が設けられている。
【００５４】
出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット（図示せず）と、出金すべき紙幣に形成されたインレット中のＩＣチップに記録された紙幣のＩＤデータ、紙幣の金種データなどのＲＦＩＤデータを読み取るＲＦＩＤリーダー（図示せず）とを備えている。
【００５５】
このように、出金紙幣判別部４０は、ＲＦＩＤリーダーを備えているため、ＲＦＩＤリーダーが出金紙幣判別部４０外に存在する紙幣のＲＦＩＤデータを読み取ることがないように、ＲＦＩＤリーダーから発信される周波数の電波を遮蔽する性質を有する材料によって形成されたケーシング４０ｃによって覆われている。
【００５６】
図１に示されるように、出金紙幣判別部４０の下流側において、出金紙幣搬送路３５から、分岐搬送路４１が分岐し、分岐搬送路４１は、紙幣回収ボックス４３に接続されている。分岐搬送路４１の分岐部には、出金すべき紙幣を出金紙幣搬送路３５および分岐搬送路４１のいずれかに選択的に導くゲート部材４２が設けられている。
【００５７】
本実施態様においては、出金紙幣判別部４０によって、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、出金紙幣搬送路３５、ゲート部材４２および分岐搬送路４１を介して、紙幣回収ボックス４３内に送られて、回収されるように構成されている。
【００５８】
また、図１に示されるように、分岐搬送路４１の分岐部の下流側において、出金紙幣搬送路３５から分岐し、分岐搬送路１７の分岐部の下流側で、かつ、分岐搬送路１９の分岐部の上流側の搬送路１６に接続される分岐搬送路４５が設けられており、分岐搬送路４５の分岐部には、紙幣を出金紙幣搬送路３５および分岐搬送路４５のいずれか一方に選択的に導くゲート部材４６が設けられている。
【００５９】
真正でかつ現に流通している紙幣が、１枚ずつ、その短辺が紙幣の搬送方向と平行になるように送られている場合には、その紙幣は、出金紙幣判別部４０から、出金紙幣搬送路３５、ゲート部材４２、出金紙幣搬送路３５、ゲート部材４６および出金紙幣搬送路３５を介して、紙幣出金口１２に送られて、出金される。
【００６０】
図２は、図１に示された紙幣処理機の制御系、検出系、駆動系、入力系および表示系を示すブロックダイアグラムである。
【００６１】
図２に示されるように、本実施態様にかかる紙幣処理機の制御系は、紙幣処理機の動作を制御するＣＰＵ５０と、紙幣入出金機の制御プログラムなどが格納されたＲＯＭ５１と、各種データを記憶するＲＡＭ５２を備えている。
【００６２】
図２に示されるように、本実施態様にかかる紙幣処理機の検出系は、紙幣判別部１５および出金紙幣判別部４０を備えている。紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１５ａと、紙幣に形成されたインレット中のＩＣチップに記録された紙幣のＩＤデータ、紙幣の金種データなどのＲＦＩＤデータを読み取るＲＦＩＤリーダー１５ｂとを備えている。また、出金紙幣判別部４０も、紙幣に向けて、光を発する光源と、光源から発せられ、紙幣によって反射された光を検出する反射光センサと、光源から発せられ、紙幣を透過した光を検出するセンサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、出金すべき紙幣に形成されたインレット中のＩＣチップに記録された紙幣のＩＤデータ、紙幣の金種データなどのＲＦＩＤデータを読み取るＲＦＩＤリーダー４０ｂとを備えている。
【００６３】
図２に示されるように、本実施態様にかかる紙幣処理機の駆動系は、搬送路１４、搬送路１６、分岐搬送路１７、分岐搬送路１９、分岐搬送路２０、分岐搬送路２１、分岐搬送路２２、出金紙幣搬送路３５、分岐搬送路４１ならびに分岐搬送路４５に設けられた搬送ローラ（図示せず）を駆動するローラ駆動手段５５と、ゲート部材１８を駆動するソレノイド５６と、ゲート部材２３を駆動するソレノイド５７と、ゲート部材２４を選択的に駆動するソレノイド５８と、ゲート部材２５を駆動するソレノイド５９と、ゲート部材２６を駆動するソレノイド６０と、ゲート部材４２を駆動するソレノイド６１と、ゲート部材４６を駆動するソレノイド６２と、第一の紙幣収納ボックス３０ａに設けられた一対の係止爪３２ａ、３２ａを突出位置に揺動させるソレノイド手段６４ａと、第二の紙幣収納ボックス３０ｂに設けられた一対の係止爪３２ｂ、３２ｂを突出位置に揺動させるソレノイド手段６４ｂと、第三の紙幣収納ボックス３０ｃに設けられた一対の係止爪３２ｃ、３２ｃを突出位置に揺動させるソレノイド手段６４ｃと、第四の紙幣収納ボックス３０ｄに設けられた一対の係止爪３２ｄ、３２ｄを突出位置に揺動させるソレノイド手段６４ｄと、汚損紙幣一時貯留ボックス２８の底部を構成するシャッタを駆動するソレノイド６５と、第一の紙幣一時貯留ボックス２７ａの底部を構成するシャッタを駆動するソレノイド６６と、第二の紙幣一時貯留ボックス２７ｂの底部を構成するシャッタを駆動するソレノイド６７と、第三の紙幣一時貯留ボックス２７ｃの底部を構成するシャッタを駆動するソレノイド６８と、第四の紙幣一時貯留ボックス２７ｄの底部を構成するシャッタを駆動するソレノイド６９と、第一の紙幣収納ボックス３０ａに設けられた一対の係止爪３２ａ、３２ａを昇降させるモータ７０ａと、第二の紙幣収納ボックス３０ｂに設けられた一対の係止爪３２ｂ、３２ｂを昇降させるモータ７０ｂと、第三の紙幣収納ボックス３０ｃに設けられた一対の係止爪３２ｃ、３２ｃを昇降させるモータ７０ｃと、第四の紙幣収納ボックス３０ｄに設けられた一対の係止爪３２ｄ、３２ｄを昇降させるモータ７０ｄと、第一の紙幣収納ボックス３０ａの下部に設けられ、第一の紙幣収納ボックス３０ａ内に収納された紙幣を、出金すべき紙幣として、１枚ずつ、出金紙幣搬送路３５内に繰り出す第一の紙幣繰り出し部３３ａと、第二の紙幣収納ボックス３０ｂの下部に設けられ、第二の紙幣収納ボックス３０ｂ内に収納された紙幣を、出金すべき紙幣として、１枚ずつ、出金紙幣搬送路３５内に繰り出す第二の紙幣繰り出し部３３ｂと、第三の紙幣収納ボックス３０ｃの下部に設けられ、第三の紙幣収納ボックス３０ｃ内に収納された紙幣を、出金すべき紙幣として、１枚ずつ、出金紙幣搬送路３５内に繰り出す第三の紙幣繰り出し部３３ｃと、第四の紙幣収納ボックス３０ｄの下部に設けられ、第四の紙幣収納ボックス３０ｄ内に収納された紙幣を、出金すべき紙幣として、１枚ずつ、出金紙幣搬送路３５内に繰り出す第四の紙幣繰り出し部３３ｄとを備えている。
【００６４】
図２に示されるように、本実施態様にかかる紙幣処理機の入力系は、オペレータによって操作され、種々の指示信号が入力されるキーボード７５を備えており、紙幣入出金機の表示系は、紙幣の計数結果などを表示するディスプレイ７７を備えている。
【００６５】
以上のように構成された本実施態様にかかる紙幣処理機は、以下のようにして、紙幣入金口１１に投入された紙幣を入金し、第一の紙幣収納ボックス３０ａ、第二の紙幣収納ボックス３０ｂ、第三の紙幣収納ボックス３０ｃあるいは第四の紙幣収納ボックス３０ｄに収納された紙幣を、紙幣出金口１２に出金する。
【００６６】
まず、オペレータによって、入金信号がキーボード７５に入力され、紙幣が紙幣入金口１１に投入されると、ＣＰＵ５０は、ローラ駆動手段５５に駆動信号を出力する。
【００６７】
その結果、紙幣は、１枚づつ、紙幣入金口１１から搬送路１４内に繰り出され、紙幣判別部１５に送られる。
【００６８】
紙幣判別部１５においては、センサユニット１５ａによって、紙幣の光学データおよび磁気データが読み取られるとともに、ＲＦＩＤリーダー１５ｂによって、紙幣に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ５０に出力される。
【００６９】
ＣＰＵ５０は、紙幣判別部１５のＲＦＩＤリーダー１５ｂから入力されたＲＦＩＤデータをＲＡＭ５２に書き込むとともに、ＲＡＭ５２に書き込まれたＲＦＩＤデータに基づいて、紙幣が、現に流通している真正な紙幣か否かおよび紙幣の金種を暫定的に判別する。
【００７０】
ここに、紙幣のＩＤデータ、紙幣の金種データなどのＲＦＩＤデータは、紙幣の発行権限を有する機関によって、特定のフォーマットで、インレット中のＩＣチップに記録されているから、ＣＰＵ５０は、紙幣判別部１５のＲＦＩＤリーダー１５ｂから入力されたＲＦＩＤデータに基づいて、紙幣が、現に流通している真正な紙幣か否かを判別し、その金種を判別することができる。
【００７１】
その結果、ＲＦＩＤデータに基づいて、紙幣判別部１５によって検出された紙幣が、現に流通している真正な紙幣ではないと判別したときは、ＣＰＵ５０は、判別結果をＲＡＭ５２に書き込み、これに対して、ＲＦＩＤデータに基づいて、紙幣が、現に流通している真正な紙幣と判別したときは、ＣＰＵ５０は、ＲＦＩＤデータに基づいて、紙幣の金種を暫定的に決定し、さらに、暫定的に決定した紙幣の金種に対応する金種の紙幣の基準光学データおよび基準磁気データをＲＯＭ５１から読み出す。
【００７２】
次いで、ＣＰＵ５０は、紙幣判別部１５のセンサユニット１５ａから入力された紙幣の光学データおよび磁気データを、ＲＯＭ５１から読み出した紙幣の基準光学データおよび基準磁気データと比較し、紙幣の金種および汚損レベル、紙幣が１枚ずつ送られているか否かならびに紙幣の短辺が紙幣の搬送方向と平行になるように送られているか否かを判別する。
【００７３】
すなわち、光学センサ手段の反射光センサが検出した紙幣の表面パターンデータと、暫定的に決定した金種の紙幣の基準表面パターンデータとを比較した結果、両者の差が第一のしきい値以下と判定したときは、ＣＰＵ５０は、紙幣判別部１５によって検出された紙幣は、ＲＦＩＤデータに基づいて暫定的に決定した金種の紙幣であると最終的に判別する。
【００７４】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ５０は、その紙幣は、現に流通している真正な紙幣であるが、紙幣の短辺が紙幣の搬送方向と平行になるように送られていないと判別する。
【００７５】
一方、光学センサ手段の反射光センサが検出した紙幣の表面パターンデータと、暫定的に決定した金種の紙幣の基準表面パターンデータとを比較した結果、両者の差が第一のしきい値以上を超えているが、第二のしきい値以下であると判定したときは、ＣＰＵ５０は、紙幣判別部１５によって検出された紙幣は、ＲＦＩＤデータに基づいて暫定的に決定した金種の紙幣であるが、汚損レベルが所定レベルを超えた汚損紙幣であると判別する。
【００７６】
これに対して、光学センサ手段の透過光センサが検出した紙幣の透過光データと、暫定的に決定した金種の紙幣の基準透過光データとを比較した結果、両者が実質的に一致しているときは、その紙幣は、１枚ずつ送られていると判別し、両者が実質的に一致していないときは、２枚以上の紙幣が、全部あるいはその一部が重なり合って、送られていると判別する。
【００７７】
その結果、紙幣判別部１５によって検出された紙幣が、偽造紙幣もしくは外国紙幣と判別した場合、２枚以上の紙幣の全部あるいは一部が重なり合って、送られていると判別した場合あるいは紙幣の短辺が紙幣の搬送方向と角度をなして送られていると判別した場合には、ＣＰＵ５０は、判別結果をＲＡＭ５２に書き込むとともに、ゲート部材１８を駆動するソレノイド５６に駆動信号を出力して、その紙幣を、分岐搬送路１７を介して、紙幣返却口１３に送り、オペレータに返却する。
【００７８】
本実施態様においては、紙幣判別部１５は、ＲＦＩＤリーダー１５ｂを備えており、ＲＦＩＤリーダー１５ｂによって、紙幣に形成されたインレット中のＩＣチップに記録された紙幣のＩＤデータ、紙幣の金種データなどのＲＦＩＤデータが読み取られるから、２枚以上の紙幣の全部あるいは一部が重なり合って、送られている場合や、紙幣の短辺が紙幣の搬送方向と角度をなして送られている場合においても、その紙幣の金種を正確に判別することができるが、２枚以上の紙幣の全部あるいは一部が重なり合って、送られている場合や、紙幣の短辺が紙幣の搬送方向と角度をなして送られている場合には、それらの紙幣は、搬送路１６の下流側においてジャミングを起こすおそれがあるため、紙幣返却口１３に送って、オペレータに返却するように構成されている。
【００７９】
一方、紙幣判別部１５によって検出された紙幣が、現に流通している真正な紙幣で、かつ、１枚ずつ、その短辺が紙幣の搬送方向と平行になるように送られているが、汚損レベルが所定レベルを超えた汚損紙幣であると判別したときは、ＣＰＵ５０は、判別結果を、ＲＡＭ５２の汚損紙幣の枚数を管理するためのデータを格納するメモリ領域に書き込むとともに、その紙幣を金種別に計数して、計数結果を、汚損紙幣の計数データとして、ＲＡＭ５２の汚損紙幣の枚数を管理するためのデータを格納するメモリ領域に書き込み、ゲート部材１８を駆動するソレノイド５６に駆動信号を出力することなく、ゲート部材２３を駆動するソレノイド５７に駆動信号を出力する。
【００８０】
したがって、汚損紙幣は、搬送路１６内を、分岐搬送路１７の分岐部の下流側に送られ、分岐搬送路１９の分岐部に達すると、ゲート部材２３によって、選択的に分岐搬送路１９に導かれ、汚損紙幣一時貯留ボックス２８内に送られて、一時的に貯留される。
【００８１】
これに対して、その紙幣が、汚損レベルが所定レベル以下の現に流通している真正な紙幣であり、かつ、第一の金種の紙幣であると判別したときは、ＣＰＵ５０は、判別結果を、ＲＡＭ５２の第一の金種の紙幣の枚数を管理するためのデータを格納するメモリ領域に書き込むとともに、その紙幣を金種別に計数して、計数結果を、第一の金種の紙幣の計数データとして、ＲＡＭ５２の第一の金種の紙幣の枚数を管理するためのデータを格納するメモリ領域に書き込み、ゲート部材１８を駆動するソレノイド５６およびゲート部材２３を駆動するソレノイド５７に駆動信号を出力することなく、ゲート部材２４を駆動するソレノイド５８に駆動信号を出力する。
【００８２】
したがって、第一の金種の紙幣は、分岐搬送路１７の分岐部および分岐搬送路１９の分岐部を通過して、搬送路１６内をさらに下流側に送られ、分岐搬送路２０の分岐部に達すると、ゲート部材２４によって、選択的に分岐搬送路２０に導かれ、第一の紙幣一時貯留ボックス２７ａ内に送られて、一時的に貯留される。
【００８３】
一方、その紙幣が、汚損レベルが所定レベル以下の現に流通している真正な紙幣であり、かつ、第二の金種の紙幣であると判別したときは、ＣＰＵ５０は、判別結果を、第二の金種の紙幣の計数データとして、ＲＡＭ５２の第二の金種の紙幣の枚数を管理するためのデータを格納するメモリ領域に書き込むとともに、その紙幣を金種別に計数して、計数結果をＲＡＭ５２の第二の金種の紙幣の枚数を管理するためのデータを格納するメモリ領域に書き込み、ゲート部材１８を駆動するソレノイド５６、ゲート部材２３を駆動するソレノイド５７およびゲート部材２４を駆動するソレノイド５８に駆動信号を出力することなく、ゲート部材２５を駆動するソレノイド５９に駆動信号を出力する。
【００８４】
したがって、第二の金種の紙幣は、分岐搬送路１７の分岐部、分岐搬送路１９の分岐部および分岐搬送路２０の分岐部を通過して、搬送路１６内をさらに下流側に送られ、分岐搬送路２１の分岐部に達すると、ゲート部材２５によって、選択的に分岐搬送路２１に導かれ、第二の紙幣一時貯留ボックス２７ｂ内に送られて、一時的に貯留される。
【００８５】
これに対して、その紙幣が、汚損レベルが所定レベル以下の現に流通している真正な紙幣であり、かつ、第三の金種の紙幣であると判別したときは、ＣＰＵ５０は、判別結果を、第三の金種の紙幣の計数データとして、ＲＡＭ５２の第三の金種の紙幣の枚数を管理するためのデータを格納するメモリ領域に書き込むとともに、その紙幣を金種別に計数して、計数結果をＲＡＭ５２の第三の金種の紙幣の枚数を管理するためのデータを格納するメモリ領域に書き込み、ゲート部材１８を駆動するソレノイド５６、ゲート部材２３を駆動するソレノイド５７、ゲート部材２４を駆動するソレノイド５８およびゲート部材２５を駆動するソレノイド５９に駆動信号を出力することなく、ゲート部材２６を駆動するソレノイド６０に駆動信号を出力する。
【００８６】
したがって、第三の金種の紙幣は、分岐搬送路１７の分岐部、分岐搬送路１９の分岐部、分岐搬送路２０の分岐部および分岐搬送路２１の分岐部を通過して、搬送路１６内をさらに下流側に送られ、分岐搬送路２２の分岐部に達すると、ゲート部材２６によって、選択的に分岐搬送路２２に導かれ、第三の紙幣一時貯留ボックス２７ｃ内に送られて、一時的に貯留される。
【００８７】
一方、その紙幣が、汚損レベルが所定レベル以下の現に流通している真正な紙幣であり、かつ、第四の金種の紙幣であると判別したときは、ＣＰＵ５０は、判別結果を、第四の金種の紙幣の計数データとして、ＲＡＭ５２の第四の金種の紙幣の枚数を管理するためのデータを格納するメモリ領域に書き込むとともに、その紙幣を金種別に計数して、計数結果をＲＡＭ５２の第四の金種の紙幣の枚数を管理するためのデータを格納するメモリ領域に書き込み、ゲート部材１８を駆動するソレノイド５６、ゲート部材２３を駆動するソレノイド５７、ゲート部材２４を駆動するソレノイド５８、ゲート部材２５を駆動するソレノイド５９およびゲート部材２６を駆動するソレノイド６０のいずれにも駆動信号を出力しない。
【００８８】
その結果、第四の金種の紙幣は、分岐搬送路１７の分岐部、分岐搬送路１９の分岐部、分岐搬送路２０の分岐部、分岐搬送路２１の分岐部および分岐搬送路２２の分岐部を通過して、搬送路１６内をさらに下流側に送られ、第四の紙幣一時貯留ボックス２７ｄ内に送られて、一時的に貯留される。
【００８９】
本実施態様においては、このように、紙幣のＲＦＩＤデータに基づき、紙幣判別部１５によって検出された紙幣が、現に流通している真正な紙幣であるか否かを判別し、現に流通している真正な紙幣であると判別したときは、紙幣のＲＦＩＤデータに基づき、紙幣の金種を暫定的に決定し、暫定的に決定した紙幣の金種に対応する金種の紙幣の基準光学データおよび基準磁気データをＲＯＭ５１から読み出し、紙幣判別部１５のセンサユニット１５ａから入力された紙幣の光学データおよび磁気データを、ＲＯＭ５１から読み出した紙幣の基準光学データおよび基準磁気データと比較して、紙幣の金種を最終的に判別するとともに、その紙幣の汚損のレベル、紙幣が１枚ずつ送られているか否かならびに紙幣の短辺が紙幣の搬送方向と平行になるように送られているか否かを判別するように構成されているから、紙幣の判別に要する時間を大幅に短縮することが可能になる。
【００９０】
次いで、ＣＰＵ５０は、ＲＡＭ５２に書き込まれた計数結果に基づき、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に送られた紙幣の合計金額を算出し、ディスプレイ７７に表示する。
【００９１】
ディスプレイ７７に表示された紙幣の合計金額が予期していた紙幣の合計金額と一致しないなどの理由で、オペレータが、入金処理を中止させるために、入金中止信号を、キーボード７５に入力し、入金中止信号がＣＰＵ５０に入力されたときは、ＣＰＵ５０は、ＲＡＭ５２の汚損紙幣の枚数を管理するためのデータを格納するメモリ領域、第一の金種の紙幣の枚数を管理するためのデータを格納するメモリ領域、第二の金種の紙幣の枚数を管理するためのデータを格納するメモリ領域、第三の金種の紙幣の枚数を管理するためのデータを格納するメモリ領域および第四の金種の紙幣の枚数を管理するためのデータを格納するメモリ領域に書き込まれた対応する紙幣の計数データを消去するとともに、紙幣一時貯留ユニット２７をロックしているロック部材（図示せず）のロックを解除するとともに、ディスプレイ７７に、ロックが解除され、紙幣一時貯留ユニット２７が取り出し可能な状態になった旨を表示する。
【００９２】
したがって、オペレータは、紙幣一時貯留ユニット２７を紙幣処理機から引き出し、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に貯留されていた紙幣を回収することができる。
【００９３】
これに対して、オペレータが、ディスプレイ７７に表示された紙幣の合計金額を確認して、入金指示信号を、キーボード７５に入力し、入金指示信号がＣＰＵ５０に入力されたときは、ＣＰＵ５０は、汚損紙幣一時貯留ボックス２８の底部を構成するシャッタを駆動するソレノイド６５、第一の紙幣一時貯留ボックス２７ａの底部を構成するシャッタを駆動するソレノイド６６、第二の紙幣一時貯留ボックス２７ｂの底部を構成するシャッタを駆動するソレノイド６７、第三の紙幣一時貯留ボックス２７ｃの底部を構成するシャッタを駆動するソレノイド６８および第四の紙幣一時貯留ボックス２７ｄの底部を構成するシャッタを駆動するソレノイド６９に駆動信号を出力する。
【００９４】
その結果、汚損紙幣一時貯留ボックス２８内に一時的に貯留されていた汚損紙幣は、汚損紙幣収納ボックス３１内に落下して、汚損紙幣収納ボックス３１内に収納されるとともに、第一の紙幣一時貯留ボックス２７ａ内に一時的に貯留されていた第一の金種の紙幣は、第一の紙幣収納ボックス３０ａ内に落下して、第一の紙幣収納ボックス３０ａ内に収納され、第二の紙幣一時貯留ボックス２７ｂ内に一時的に貯留されていた第二の金種の紙幣は、第二の紙幣収納ボックス３０ｂ内に落下して、第二の紙幣収納ボックス３０ｂ内に収納される。同時に、第三の紙幣一時貯留ボックス２７ｃ内に一時的に貯留されていた第三の金種の紙幣は、第三の紙幣収納ボックス３０ｃ内に落下して、第三の紙幣収納ボックス３０ｃ内に収納され、第四の紙幣一時貯留ボックス２７ｄ内に一時的に貯留されていた第四の金種の紙幣は、第四の紙幣収納ボックス３０ｄ内に落下し、第四の紙幣収納ボックス３０ｄ内に収納される。
【００９５】
ここに、紙幣の入金処理時には、ＣＰＵ５０は、ソレノイド手段６４ａ、ソレノイド手段６４ｂ、ソレノイド手段６４ｃおよびソレノイド手段６４ｄに駆動信号を出力せず、したがって、第一の紙幣収納ボックス３０ａに設けられた一対の係止爪３２ａ、３２ａ、第二の紙幣収納ボックス３０ｂに設けられた一対の係止爪３２ｂ、３２ｂ、第三の紙幣収納ボックス３０ｃに設けられた一対の係止爪３２ｃ、３２ｃならびに第四の紙幣収納ボックス３０ｄに設けられた一対の係止爪３２ｄ、３２ｄは、それぞれ、退避位置に保持されるから、第一の紙幣収納ボックス３０ａ内に送られた第一の金種の紙幣は、第一の紙幣収納ボックス３０ａの底板上に集積され、第二の紙幣収納ボックス３０ｂ内に送られた第二の金種の紙幣は、第二の紙幣収納ボックス３０ｂの底板上に集積される。同様に、第三の紙幣収納ボックス３０ｃ内に送られた第三の金種の紙幣は、第三の紙幣収納ボックス３０ｃの底板上に集積され、第四の紙幣収納ボックス３０ｄ内に送られた第四の金種紙幣は、第四の紙幣収納ボックス３０ｄの底板上に集積される。
【００９６】
こうして、紙幣の入金処理が完了する。
【００９７】
紙幣処理機から、紙幣を出金する場合には、オペレータによって、出金すべき金種ごとの紙幣の枚数を特定する出金データと出金信号がキーボード７５に入力される。
【００９８】
オペレータによって入力された出金データと出金信号は、ＣＰＵ５０に出力され、ＣＰＵ５０は、入力された出金すべき金種ごとの紙幣の枚数を特定する出金データを、ＲＡＭ５２の出金すべき紙幣を管理するデータを格納するメモリ領域に書き込む。
【００９９】
次いで、ＣＰＵ５０は、ＲＡＭ５２の出金すべき紙幣を管理するデータを格納するメモリ領域に書き込んだ出金データにしたがって、第一の紙幣収納ボックス３０ａの下部に設けられた第一の紙幣繰り出し部３３ａ、第二の紙幣収納ボックス３０ｂの下部に設けられた第二の紙幣繰り出し部３３ｂ、第三の紙幣収納ボックス３０ｃの下部に設けられた第三の紙幣繰り出し部３３ｃおよび第四の紙幣収納ボックス３０ｄの下部に設けられた第四の紙幣繰り出し部３３ｄを選択的に駆動する。
【０１００】
すなわち、第一の金種の紙幣を出金すべきときは、ＣＰＵ５０は、第一の紙幣繰り出し部３３ａに駆動信号を出力して、第一の紙幣収納ボックス３０ａ内に収納されている第一の金種の紙幣を、１枚ずつ、出金紙幣搬送路３５に繰り出させ、第二の金種の紙幣を出金すべきときは、ＣＰＵ５０は、第二の紙幣繰り出し部３３ｂに駆動信号を出力して、第二の紙幣収納ボックス３０ｂ内に収納されている第二の金種の紙幣を、１枚ずつ、出金紙幣搬送路３５に繰り出させる。一方、第三の金種の紙幣を出金すべきときは、ＣＰＵ５０は、第三の紙幣繰り出し部３３ｃに駆動信号を出力して、第三の紙幣収納ボックス３０ｃ内に収納されている第三の金種の紙幣を、１枚ずつ、出金紙幣搬送路３５に繰り出させ、第四の金種の紙幣を出金すべきときは、ＣＰＵ５０は、第四の紙幣繰り出し部３３ｄに駆動信号を出力して、第四の紙幣収納ボックス３０ｄ内に収納されている第四の金種の紙幣を、１枚ずつ、出金紙幣搬送路３５に繰り出させる。
【０１０１】
出金紙幣搬送路３５に繰り出された紙幣は、出金紙幣判別部４０に送られる。
【０１０２】
出金すべき紙幣が、出金紙幣判別部４０に送られると、センサユニット４０ａによって、紙幣の光学データおよび磁気データが読み取られるとともに、ＲＦＩＤリーダー４０ｂによって、紙幣に形成されたインレット中のＩＣチップに記録された紙幣のＩＤデータ、紙幣の金種データなどのＲＦＩＤデータが読み取られ、読み取られた紙幣の光学データ、磁気データおよびＲＦＩＤデータはＣＰＵ５０に出力される。
【０１０３】
ＣＰＵ５０は、出金紙幣判別部４０から入力された紙幣の光学データ、磁気データおよびＲＦＩＤデータに基づいて、紙幣が、現に流通している真正な紙幣か否かを判別し、紙幣が現に流通している真正な紙幣であると判別したときは、その金種を判別するとともに、紙幣が１枚ずつ送られているか否かおよび紙幣の短辺が紙幣の搬送方向と平行になるように送られているか否かを判別する。
【０１０４】
ここに、紙幣判別部１５から入力された紙幣の光学データ、磁気データおよびＲＦＩＤデータに基づき、現に流通している真正な紙幣と判別された紙幣のみが、第一の紙幣収納ボックス３０ａ、第二の紙幣収納ボックス３０ｂ、第三の紙幣収納ボックス３０ｃおよび第四の紙幣収納ボックス３０ｄに送られて、収納され、第一の紙幣収納ボックス３０ａ、第二の紙幣収納ボックス３０ｂ、第三の紙幣収納ボックス３０ｃおよび第四の紙幣収納ボックス３０ｄ内には、それぞれ、第一の金種の紙幣、第二の金種の紙幣、第三の金種の紙幣および第四の金種の紙幣が収納されており、したがって、第一の紙幣収納ボックス３０ａ、第二の紙幣収納ボックス３０ｂ、第三の紙幣収納ボックス３０ｃおよび第四の紙幣収納ボックス３０ｄから繰り出されて、出金紙幣判別部４０に送られる紙幣はすべて、現に流通している真正な紙幣であるはずであり、また、その紙幣が、第一の紙幣収納ボックス３０ａ、第二の紙幣収納ボックス３０ｂ、第三の紙幣収納ボックス３０ｃおよび第四の紙幣収納ボックス３０ｄのうち、いずれの紙幣収納ボックスから繰り出されたかによって、その紙幣の金種を知ることができるから、出金紙幣判別部４０から入力された紙幣の光学データ、磁気データおよびＲＦＩＤデータに基づいて、ＣＰＵ５０が、出金すべき紙幣が、現に流通している真正な紙幣か否かを判別することは必ずしも必要ではないし、また、出金すべき紙幣の金種を判別することも必ずしも必要ではないが、本実施態様においては、紙幣処理機から、出金された紙幣の金種および枚数ならびに紙幣処理機内に収納されている紙幣の金種ごとの枚数を正確に管理するために、出金紙幣判別部４０から入力された紙幣の光学データ、磁気データおよびＲＦＩＤデータに基づいて、ＣＰＵ５０が、出金すべき紙幣が、現に流通している真正な紙幣か否かおよび出金すべき紙幣の金種を判別するように構成されている。
【０１０５】
ＣＰＵ５０は、出金紙幣判別部４０のＲＦＩＤリーダー４０ｂから入力されたＲＦＩＤデータをＲＡＭ５２に書き込むとともに、ＲＡＭ５２に書き込まれたＲＦＩＤデータに基づいて、紙幣が、現に流通している真正な紙幣か否かおよび紙幣の金種を暫定的に判別する。
【０１０６】
その結果、ＲＦＩＤデータに基づいて、出金紙幣判別部４０によって検出された紙幣が、現に流通している真正な紙幣ではないと判別したときは、ＣＰＵ５０は、判別結果をＲＡＭ５２に書き込み、これに対して、ＲＦＩＤデータに基づいて、紙幣が、現に流通している真正な紙幣と判別したときは、ＣＰＵ５０は、ＲＦＩＤデータに基づいて、紙幣の金種を暫定的に決定し、さらに、暫定的に決定した紙幣の金種に対応する金種の紙幣の基準光学データおよび基準磁気データをＲＯＭ５１から読み出す。
【０１０７】
次いで、ＣＰＵ５０は、出金紙幣判別部４０のセンサユニット４０ａから入力された紙幣の光学データおよび磁気データを、ＲＯＭ５１から読み出した紙幣の基準光学データおよび基準磁気データと比較し、紙幣の金種を最終的に判別するとともに、紙幣が１枚ずつ送られているか否かならびに紙幣の短辺が紙幣の搬送方向と平行になるように送られているか否かを判別する。
【０１０８】
すなわち、光学センサ手段の反射光センサが検出した紙幣の表面パターンデータと、暫定的に決定した金種の紙幣の基準表面パターンデータとを比較した結果、両者の差が第一のしきい値以下と判定したときは、ＣＰＵ５０は、出金紙幣判別部４０によって検出された紙幣は、ＲＦＩＤデータに基づいて暫定的に決定した金種の紙幣であると最終的に判別する。
【０１０９】
これに対して、光学センサ手段の反射光センサが検出した紙幣の表面パターンデータと、暫定的に決定した金種の紙幣の基準表面パターンデータとを比較した結果、両者の差が第一のしきい値よりも大きい第二のしきい値を超えていると判定したときは、ＣＰＵ５０は、その紙幣は、現に流通している真正な紙幣であるが、紙幣の短辺が紙幣の搬送方向と平行になるように送られていないと判別する。
【０１１０】
ここに、紙幣が、現に流通している真正な紙幣であるが、汚損レベルが所定レベルを超えている場合には、光学センサ手段の反射光センサが検出した紙幣の表面パターンデータと、暫定的に決定した金種の紙幣の基準表面パターンデータとの差が、第一のしきい値を超え、第二のしきい値未満になるが、汚損レベルが所定レベルを超えた汚損紙幣は、汚損紙幣収納ボックス３１内に回収されているから、光学センサ手段の反射光センサが検出した紙幣の表面パターンデータと、暫定的に決定した金種の紙幣の基準表面パターンデータとの差が、第一のしきい値を超え、第二のしきい値未満になるということはない。
【０１１１】
これに対して、光学センサ手段の透過光センサが検出した紙幣の透過光データと、暫定的に決定した金種の紙幣の基準透過光データとを比較した結果、両者が実質的に一致しているときは、その紙幣は、１枚ずつ送られていると判別し、両者が実質的に一致していないときは、２枚以上の紙幣が、全部あるいはその一部が重なり合って、送られていると判別する。
【０１１２】
判別の結果、出金紙幣判別部４０によって検出された紙幣が、現に流通している真正な紙幣で、１枚ずつ、その短辺が紙幣の搬送方向と平行になるように送られていると判別したときは、ＣＰＵ５０は、判別した金種の紙幣が１枚出金された旨をＲＡＭ５２に書き込むとともに、その金種の紙幣の枚数を管理するためのデータを格納するＲＡＭ５２のメモリ領域に書き込まれた紙幣の計数データを１枚分だけ減じた上で、その紙幣を、出金紙幣搬送路３５、ゲート部材４２、出金紙幣搬送路３５、ゲート部材４６および出金紙幣搬送路３５を介して、紙幣出金口１２に送って、出金する。
【０１１３】
一方、出金紙幣判別部４０によって検出された紙幣が、偽造紙幣もしくは外国紙幣と判別した場合には、ＣＰＵ５０は、ＲＡＭ５２の紙幣回収ボックス４３内に回収された紙幣の枚数を管理するデータを格納するメモリ領域に、偽造紙幣あるいは外国紙幣が検出され、偽造紙幣あるいは外国紙幣が１枚回収された旨の計数データを書き込み、さらに、ゲート部材４２を駆動するソレノイド６１に駆動信号を出力して、出金紙幣搬送路３５を分岐搬送路４１に連通させ、偽造紙幣あるいは外国紙幣と判別した紙幣を紙幣回収ボックス４３に導いて、紙幣回収ボックス４３内に回収させる。
【０１１４】
これに対して、ＣＰＵ５０が、２枚以上の紙幣の全部あるいは一部が重なり合って、送られていると判別した場合あるいは紙幣の短辺が紙幣の搬送方向と角度をなして送られていると判別した場合には、これらの紙幣を紙幣出金口１２に送ると、紙幣が出金紙幣搬送路３５内で、ジャミングを起こすおそれがあるため、ゲート部材４２を駆動するソレノイド６１に駆動信号を出力して、出金紙幣搬送路３５を分岐搬送路４１に連通させ、これらの紙幣を紙幣回収ボックス４３に導いて、紙幣回収ボックス４３内に回収させる。
【０１１５】
この際、ＣＰＵ５０は、ＲＦＩＤリーダー４０ｂによって読み取られた紙幣のＲＦＩＤデータに基づいて、紙幣回収ボックス４３内に回収された紙幣の金種および枚数を判別して、ＲＡＭ５２の紙幣回収ボックス４３内に回収された紙幣の枚数を管理するデータを格納するメモリ領域に書き込まれた紙幣の計数データを書き換えるとともに、その金種の紙幣の枚数を管理するためのデータを格納するＲＡＭ５２のメモリ領域に書き込まれた紙幣の計数データを書き換える。
【０１１６】
ここに、出金紙幣判別部４０が、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えているに過ぎない従来の紙幣処理機にあっては、２枚以上の紙幣の全部あるいは一部が重なり合って、送られている場合あるいは紙幣の短辺が紙幣の搬送方向と角度をなして送られている場合には、それらの金種を精度よく判別することが不可能であり、また、２枚以上の紙幣の全部あるいは一部が重なり合って、送られている場合には、何枚の紙幣が重なり合って送られているかを精度よく判別することが不可能であるため、紙幣回収ボックス４３内に回収された紙幣の金種別枚数を、精度よく、把握することができず、したがって、第一の紙幣収納ボックス３０ａ、第二の紙幣収納ボックス３０ｂ、第三の紙幣収納ボックス３０ｃおよび第四の紙幣収納ボックス３０ｄから、出金のために繰り出された紙幣の金種別枚数を精度よく把握することが不可能であるため、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に管理することが不可能であった。
【０１１７】
しかしながら、本実施態様においては、紙幣処理機の出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えたセンサユニット４０ａに加えて、紙幣に形成されたインレット中のＩＣチップに記録された紙幣のＩＤデータ、紙幣の金種データなどのＲＦＩＤデータを読み取るＲＦＩＤリーダー４０ｂを備えているため、２枚以上の紙幣の全部あるいは一部が重なり合って、送られている場合あるいは紙幣の短辺が紙幣の搬送方向と角度をなして送られている場合においても、ＣＰＵ５０は、ＲＦＩＤリーダー４０ｂによって読み取られた紙幣のＲＦＩＤデータに基づいて、それらの紙幣の金種を精度よく判別することができ、また、２枚以上の紙幣の全部あるいは一部が重なり合って、送られている場合に、ＣＰＵ５０は、ＲＦＩＤリーダー４０ｂによって読み取られた紙幣のＲＦＩＤデータに基づいて、何枚の紙幣が重なり合って送られているかを精度よく判別することができ、したがって、第一の紙幣収納ボックス３０ａ、第二の紙幣収納ボックス３０ｂ、第三の紙幣収納ボックス３０ｃおよび第四の紙幣収納ボックス３０ｄから、出金のために繰り出された紙幣の金種別枚数を精度よく把握して、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に管理することができ、紙幣処理機の紙幣管理機能を大幅に向上させることが可能になる。
【０１１８】
こうして、第一の紙幣収納ボックス３０ａ、第二の紙幣収納ボックス３０ｂ、第三の紙幣収納ボックス３０ｃおよび第四の紙幣収納ボックス３０ｄから、選択的に、紙幣が繰り出され、紙幣が出金されるたびに、ＣＰＵ５０は、対応する金種の紙幣の枚数を管理するためのデータを格納するＲＡＭ５２のメモリ領域に書き込まれた紙幣の計数データを書き換えるとともに、その紙幣が、現に流通している真正な紙幣で、１枚ずつ、その短辺が紙幣の搬送方向と平行になるように送られていると判別したときは、その金種の紙幣が、１枚出金された旨をＲＡＭ５２に書き込み、一方、紙幣を紙幣回収ボックス４３内に回収すべきと判別したときは、ＲＡＭ５２の紙幣回収ボックス４３内に回収された紙幣の枚数を管理するデータを格納するメモリ領域に書き込まれた紙幣の計数データを書き換える。
【０１１９】
こうして、ＲＡＭ５２に書き込まれた出金された紙幣の金種別の枚数データが、ＲＡＭ５２に書き込まれた出金データ中の各金種の紙幣の出金すべき枚数に等しくなると、紙幣の出金処理が完了する。
【０１２０】
本実施態様にかかる紙幣処理機は、さらに、随時、第一の紙幣収納ボックス３０ａ、第二の紙幣収納ボックス３０ｂ、第三の紙幣収納ボックス３０ｃおよび第四の紙幣収納ボックス３０ｄならびに紙幣回収ボックス４３内に収納されている紙幣の金種別の枚数を確認する収納紙幣確認処理を実行可能に構成されている。
【０１２１】
すなわち、第一の紙幣収納ボックス３０ａに収納されている紙幣の枚数を確認する収納紙幣確認処理を実行するときは、まず、ＣＰＵ５０から、モータ７０ａに第一の駆動信号が出力されて、第一の紙幣収納ボックス３０ａに設けられた一対の係止爪３２ａ、３２ａが第一の紙幣収納ボックス３０ａの上部の第一の位置に移動される。ここに、第一の位置は、第一の紙幣一時貯留ボックス２７ａ内に一時的に貯留可能な最大枚数の第一の金種の紙幣が、一対の係止爪３２ａ、３２ａ上に保持されたときに、最上の紙幣と第一の紙幣収納ボックス３０ａの頂部との間にスペースが確保されるように、設定される。
【０１２２】
次いで、ＣＰＵ５０から、ソレノイド手段６４ａに駆動信号が出力されて、第一の紙幣収納ボックス３０ａに設けられた一対の係止爪３２ａ、３２ａが、支点まわりに、突出位置に揺動される。
【０１２３】
その後、ＣＰＵ５０から、ゲート部材４６を駆動するソレノイド６２に駆動信号が出力され、ゲート部材４６が、出金紙幣搬送路３５と分岐搬送路４５とを連通する位置に位置決めされ、第一の紙幣収納ボックス３０ａから、紙幣が繰り出され、出金紙幣判別部４０を通過することによって、ＣＰＵ５０により、紙幣の金種が判別されるとともに、金種ごとの枚数が計数されて、判別結果および計数結果がＲＡＭ５２に書き込まれ、出金紙幣搬送路３５、ゲート部材４６、分岐搬送路４５、搬送路１６、ゲート部材２４および分岐搬送路２０を介して、第一の紙幣一時貯留ボックス２７ａ内に一時的に貯留される。
【０１２４】
こうして、第一の紙幣収納ボックス３０ａから、次々に、第一の金種の紙幣が繰り出されて、第一の紙幣一時貯留ボックス２７ａ内に送られて、一時的に貯留され、第一の紙幣一時貯留ボックス２７ａ内に一時的に貯留された第一の金種の紙幣の枚数が所定枚数に達すると、ＣＰＵ５０は、ソレノイド６６に駆動信号を出力して、第一の紙幣一時貯留ボックス２７ａの底部を構成するシャッタを開き、第一の紙幣一時貯留ボックス２７ａ内に一時的に貯留された第一の金種の紙幣を、第一の紙幣収納ボックス３０ａ内に落下させて、送り出す。
【０１２５】
第一の紙幣収納ボックス３０ａ内に送り出された第一の金種の紙幣は、一対の係止爪３２ａ、３２ａ上に保持される。
【０１２６】
こうして、所定枚数の第一の金種の紙幣が、第一の紙幣収納ボックス３０ａ内に設けられた一対の係止爪３２ａ、３２ａ上に保持されると、ＣＰＵ５０は、モータ７０ａに第二の駆動信号を出力して、所定枚数の第一の金種の紙幣の厚さに等しい距離だけ、一対の係止爪３２ａ、３２ａを下降させる。
【０１２７】
同様にして、第一の紙幣収納ボックス３０ａから、次々に、第一の金種の紙幣が繰り出して、出金紙幣搬送路３５、出金紙幣判別部４０、出金紙幣搬送路３５、ゲート部材４６、分岐搬送路４５、搬送路１６、ゲート部材２４および分岐搬送路２０を介して、第一の紙幣一時貯留ボックス２７ａ内に送って、一時的に貯留し、第一の紙幣一時貯留ボックス２７ａ内に一時的に貯留された第一の金種の紙幣の枚数が所定枚数に達すると、第一の紙幣一時貯留ボックス２７ａ内に一時的に貯留された第一の金種の紙幣を、第一の紙幣収納ボックス３０ａ内に送り出して、一対の係止爪３２ａ、３２ａ上に保持させ、一対の係止爪３２ａ、３２ａ下降させる動作を繰り返し、第一の紙幣収納ボックス３０ａ内に収納されていた第一の金種の紙幣がすべて、第一の紙幣収納ボックス３０ａから繰り出され、出金紙幣搬送路３５、出金紙幣判別部４０、出金紙幣搬送路３５、ゲート部材４６、分岐搬送路４５、搬送路１６、ゲート部材２４、分岐搬送路２０および第一の紙幣一時貯留ボックス２７ａを介して、第一の紙幣収納ボックス３０ａ内に送り返されると、第一の紙幣収納ボックス３０ａに収納されている紙幣の枚数を確認する収納紙幣確認処理が終了する。
【０１２８】
第二の紙幣収納ボックス３０ｂ、第三の紙幣収納ボックス３０ｃおよび第四の紙幣収納ボックス３０ｄのそれぞれに収納されている紙幣の枚数を確認する収納紙幣確認処理も、同様にして、実行することができる。
【０１２９】
さらに、ＣＰＵ５０は、ＲＡＭ５２に書き込まれている紙幣回収ボックス４３に送り込まれた紙幣のデータを読み出して、紙幣回収ボックス４３内に回収されている紙幣の金種別の枚数ならびに偽造紙幣、外国紙幣などの流通していない紙幣の枚数を確認する。
【０１３０】
こうして、収納紙幣確認処理が完了する。
【０１３１】
本実施態様によれば、紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１５ａに加えて、紙幣に形成されたインレット中のＩＣチップに記録された紙幣のＩＤデータ、紙幣の金種データなどのＲＦＩＤデータを読み取るＲＦＩＤリーダー１５ｂを備え、ＲＦＩＤリーダー１５ｂによって読み取られたＲＦＩＤデータに基づいて、紙幣の金種を暫定的に決定し、暫定的に決定した紙幣の金種に対応する金種の紙幣の基準光学データおよび基準磁気データをＲＯＭ５１から読み出し、紙幣判別部１５のセンサユニット１５ａから入力された紙幣の光学データおよび磁気データを、ＲＯＭ５１から読み出した紙幣の基準光学データおよび基準磁気データと比較し、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するように構成されているから、紙幣処理機に投入された紙幣の判別に要する時間を大幅に短縮することが可能になるとともに、紙幣処理機に投入された紙幣の判別精度を大幅に向上させることが可能になる。
【０１３２】
また、本実施態様によれば、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット４０ａに加えて、出金すべき紙幣に形成されたインレット中のＩＣチップに記録された紙幣のＩＤデータ、紙幣の金種データなどのＲＦＩＤデータを読み取るＲＦＩＤリーダー４０ｂを備え、ＲＦＩＤリーダー４０ｂによって読み取られたＲＦＩＤデータに基づいて、紙幣の金種を暫定的に決定し、暫定的に決定した紙幣の金種に対応する金種の紙幣の基準光学データおよび基準磁気データをＲＯＭ５１から読み出し、出金紙幣判別部４０のセンサユニット４０ａから入力された紙幣の光学データおよび磁気データを、ＲＯＭ５１から読み出した紙幣の基準光学データおよび基準磁気データと比較し、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するように構成されているから、出金すべき紙幣の判別に要する時間を大幅に短縮することが可能になるとともに、出金すべき紙幣の判別精度を大幅に向上させることが可能になる。
【０１３３】
さらに、従来の紙幣処理機においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを有するセンサユニット４０ａのみを備えているにすぎず、したがって、２枚以上の紙幣の全部あるいは一部が重なり合って、搬送されているということは判別できても、それらの紙幣の金種および何枚の紙幣が重なり合って送られているかを判別することはできず、また、紙幣の短辺が紙幣の搬送方向と角度をなして搬送されているということは判別できても、その紙幣の金種を判別することはできないため、紙幣回収ボックス４３内に回収された紙幣の金種および金種別の枚数を正確に把握することは不可能で、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に把握することは不可能であったが、本実施態様によれば、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット４０ａに加えて、出金すべき紙幣に形成されたインレット中のＩＣチップに記録された紙幣のＩＤデータ、紙幣の金種データなどのＲＦＩＤデータを読み取るＲＦＩＤリーダー４０ｂを備えているから、２枚以上の紙幣の全部あるいは一部が重なり合って、送られている場合においても、ＣＰＵ５０は、ＲＦＩＤリーダー４０ｂによって読み取られた紙幣のＲＦＩＤデータに基づいて、それらの紙幣の金種および何枚の紙幣が重なり合って送られているかを精度よく判別することができ、また、紙幣の短辺が紙幣の搬送方向と角度をなして送られている場合においても、ＣＰＵ５０は、ＲＦＩＤリーダー４０ｂによって読み取られた紙幣のＲＦＩＤデータに基づいて、それらの紙幣の金種を精度よく判別することが可能になり、したがって、紙幣回収ボックス４３内に回収されるべき紙幣の金種および枚数を精度よく判別することができるから、第一の紙幣収納ボックス３０ａ、第二の紙幣収納ボックス３０ｂ、第三の紙幣収納ボックス３０ｃおよび第四の紙幣収納ボックス３０ｄに収納されている紙幣の金種別枚数を正確に把握することができ、紙幣処理機の紙幣管理機能を大幅に向上させることが可能になる。
【０１３４】
図３は、本発明の別の好ましい実施態様にかかる紙幣処理機の略縦断面図である。
【０１３５】
本実施態様にかかる紙幣処理機は、銀行などの金融機関内で使用されるように構成され、図１および図２に示された紙幣処理機と同様に、紙幣の発行権限を有する機関によって、インレット中の読み取り専用のＩＣチップに、紙幣のＩＤデータ、紙幣の金種データなどのＲＦＩＤデータが、特定のフォーマットで、記録された紙幣を処理するように構成されている。
【０１３６】
図３に示されるように、本実施態様にかかる紙幣処理機は、ハウジング１０と、ハウジング１０内に、紙幣入出金機構１と、第一の紙幣帯封機構２と、第二の紙幣帯封機構３を備えている。
【０１３７】
紙幣入出金機構１は、紙幣処理機に投入された紙幣のうち、真正な紙幣を入金紙幣として、金種別に収納し、収納された真正な紙幣を出金するもので、従来の紙幣入出金機の機能を備えている。
【０１３８】
一方、第一の紙幣帯封機構２は、第一の所定数に等しい枚数、たとえば、１００枚の紙幣を重ね合わせ、重ね合わされた紙幣に結束テープを巻回して、帯封をし、第一の所定数に等しい枚数の紙幣を含む紙幣束（以下、「単位紙幣束」という。）を生成するものであり、従来の紙幣帯封装置の機能を備え、また、第二の紙幣帯封機構３は、それぞれが、第一の所定数に等しい枚数の紙幣を含む第二の所定数に等しい数の単位紙幣束を、たとえば、１０束の単位紙幣束を重ね合わせ、重ね合わされた単位紙幣束に結束テープを巻回して、帯封をし、第二の所定数に等しい数の単位紙幣束を含む紙幣束（大束）を生成するものであり、第二の所定数に等しい数の単位紙幣束に帯封する従来の紙幣帯封装置の機能を備えている。
【０１３９】
したがって、本実施態様にかかる紙幣処理機は、従来の紙幣入出金機、第一の所定数に等しい枚数の紙幣を重ね合わせて、帯封をし、第一の所定数に等しい枚数の紙幣を含む単位紙幣束（小束）を生成する従来の紙幣帯封装置および第二の所定数に等しい数の単位紙幣束を重ね合わせて、第二の所定数に等しい数の単位紙幣束に帯封する従来の紙幣帯封装置が結合された構造を有している。
【０１４０】
図３に示されるように、本実施態様にかかる紙幣処理機の紙幣入出金機構１は、サブハウジング１０ａ内に設けられ、紙幣が投入される紙幣入金口１１、紙幣を出金する紙幣出金口１２および投入された紙幣で、受け入れ不能と判別された紙幣を返却する紙幣返却口１３を、サブハウジング１０ａの上部に備えている。
【０１４１】
図３に示されるように、本実施態様にかかる紙幣処理機は、さらに、搬送路１４を介して、紙幣入金口１１に接続され、紙幣繰り出し手段（図示せず）により、紙幣入金口１１から、１枚ずつ、繰り出された紙幣を判別する紙幣判別部１５を備えている。
【０１４２】
紙幣判別部１５は、図１および図２に示された紙幣処理機と同様に、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット（図示せず）と、紙幣に形成されたインレット中のＩＣチップに記録された紙幣のＩＤデータ、紙幣の金種データなどのＲＦＩＤデータを読み取るＲＦＩＤリーダー（図示せず）とを備えており、紙幣判別部１５のセンサユニットによって生成された紙幣の光学データおよび磁気データならびにＲＦＩＤリーダーによって読み取られたＲＦＩＤデータは、ＣＰＵ（図示せず）に出力され、ＣＰＵによって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かが判別され、１枚ずつ、その短辺が紙幣の搬送方向と平行になるように送られている真正でかつ現に流通している紙幣が金種別に計数されるように構成されている。
【０１４３】
このように、紙幣判別部１５は、ＲＦＩＤリーダーを備えているため、ＲＦＩＤリーダーが紙幣判別部１５外に存在する紙幣のＲＦＩＤデータを読み取ることがないように、ＲＦＩＤリーダーから発信される周波数の電波を遮蔽する性質を有する材料によって形成されたケーシング１５ｃによって覆われている。
【０１４４】
図３に示されるように、紙幣判別部１５の下流側には、搬送路１６が接続されており、搬送路１６から、紙幣返却口１３に接続された分岐搬送路１７が分岐し、分岐搬送路１７の分岐部には、紙幣を、搬送路１６および分岐搬送路１７のいずれかに選択的に導くゲート部材１８が設けられている。
【０１４５】
紙幣判別部１５のセンサユニットによって生成された紙幣の光学データおよび磁気データならびにＲＦＩＤリーダーによって読み取られたＲＦＩＤデータに基づき、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、搬送路１６、ゲート部材１８および分岐搬送路１７を介して、紙幣返却口１３に送られて、オペレータに返却される。
【０１４６】
一方、分岐搬送路１７の分岐部の下流側の搬送路１６からは、分岐搬送路１９、分岐搬送路２０、分岐搬送路２１および分岐搬送路２２が、この順に分岐しており、分岐搬送路１９の分岐部には、紙幣を搬送路１６および分岐搬送路１９のいずれかに選択的に導くゲート部材２３が設けられ、分岐搬送路２０の分岐部には、紙幣を搬送路１６および分岐搬送路２０のいずれかに選択的に導くゲート部材２４が設けられている。また、分岐搬送路２１の分岐部には、紙幣を搬送路１６および分岐搬送路２１のいずれかに選択的に導くゲート部材２５が設けられ、分岐搬送路２２の分岐部には、紙幣を搬送路１６および分岐搬送路２２のいずれかに選択的に導くゲート部材２６が設けられている。
【０１４７】
図３に示されるように、搬送路１６の下方には、紙幣一時貯留ユニット２７が設けられ、分岐搬送路１９、分岐搬送路２０、分岐搬送路２１および分岐搬送路２２は、紙幣一時貯留ユニット２７内に延び、搬送路１６は、分岐搬送路２２の分岐部の下流側において、紙幣一時貯留ユニット２７内に延びている。紙幣一時貯留ユニット２７は、紙幣処理機に入金されるべき紙幣を、金種別に、一時的に貯留するものであり、図１および図２に示された紙幣処理機と同様に、通常は、ロック部材（図示せず）によって、ロックされて、紙幣処理機に固定され、ロック部材によるロックが解除されたときは、スライドさせて、紙幣処理機から取り出し可能に構成されている。
【０１４８】
本実施態様においても、紙幣処理機は、４種類の金種の紙幣を処理可能で、かつ、汚損レベルが所定レベルを超えた汚損紙幣を回収可能に構成されており、したがって、図１および図２に示された紙幣処理機と同様に、紙幣一時貯留ユニット２７は、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄを備えている。
【０１４９】
図３に示されるように、分岐搬送路１９は、汚損紙幣一時貯留ボックス２８に接続されている。一方、分岐搬送路２０、分岐搬送路２１および分岐搬送路２２は、第一の紙幣一時貯留ボックス２７ａ、第二の紙幣一時貯留ボックス２７ｂおよび第三の紙幣一時貯留ボックス２７ｃに接続され、搬送路１６は、分岐搬送路２２の分岐部の下流側で、第四の紙幣一時貯留ボックス２７ｄに接続されている。
【０１５０】
したがって、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られているが、汚損のレベルが所定レベルを超えていると判別された汚損紙幣は、搬送路１６、ゲート部材１８、搬送路１６、ゲート部材２３および分岐搬送路１９を介して、汚損紙幣一時貯留ボックス２８内に送られて、一時的に貯留される。
【０１５１】
また、紙幣判別部１５のセンサユニットによって生成された紙幣の光学データおよび磁気データならびにＲＦＩＤリーダーによって読み取られたＲＦＩＤデータに基づいて、真正でかつ現に流通している紙幣で、１枚ずつ、その短辺が紙幣の搬送方向と平行になるように送られていると判別された紙幣のうち、第一の金種の紙幣は、搬送路１６、ゲート部材１８、搬送路１６、ゲート部材２３、搬送路１６、ゲート部材２４および分岐搬送路２０を介して、第一の紙幣一時貯留ボックス２７ａ内に送られて、一時的に貯留され、第二の金種の紙幣は、搬送路１６、ゲート部材１８、搬送路１６、ゲート部材２３、搬送路１６、ゲート部材２４、搬送路１６、ゲート部材２５および分岐搬送路２１を介して、第二の紙幣一時貯留ボックス２７ｂ内に送られて、一時的に貯留される。
【０１５２】
一方、真正でかつ現に流通している紙幣で、１枚ずつ、その短辺が紙幣の搬送方向と平行になるように送られていると判別された紙幣のうち、第三の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および分岐搬送路２２を介して、第三の紙幣一時貯留ボックス２７ｃ内に送られて、一時的に貯留され、第四の金種の紙幣は、搬送路１６、ゲート部材１８、搬送路１６、ゲート部材２３、搬送路１６、ゲート部材２４、搬送路１６、ゲート部材２５、搬送路１６、ゲート部材２６および搬送路１６を介して、第四の紙幣一時貯留ボックス２７ｄ内に送られて、一時的に貯留される。
【０１５３】
図３に示されるように、紙幣一時貯留ユニット２７の下方には、紙幣処理機に入金された紙幣を、金種別に収納する紙幣収納ユニット３０が設けられており、図１および図２に示された紙幣処理機と同様に、紙幣収納ユニット３０は、通常は、ロック部材（図示せず）によって、ロックされて、紙幣処理機に固定され、ロック部材によるロックが解除されたときは、スライドさせて、紙幣処理機から取り出し可能に構成されている。
【０１５４】
図３に示されるように、紙幣収納ユニット３０は、汚損紙幣一時貯留ボックス２８に一時的に貯留された汚損紙幣を収納する汚損紙幣収納ボックス３１と、第一の紙幣一時貯留ボックス２７ａ内に一時的に貯留された第一の金種の紙幣を収納する第一の紙幣収納ボックス３０ａと、第二の紙幣一時貯留ボックス２７ｂ内に一時的に貯留された第二の金種の紙幣を収納する第二の紙幣収納ボックス３０ｂと、第三の紙幣一時貯留ボックス２７ｃ内に一時的に貯留された第三の金種の紙幣を収納する第三の紙幣収納ボックス３０ｃと、第四の紙幣一時貯留ボックス２７ｄ内に一時的に貯留された第四の金種の紙幣を収納する第四の紙幣収納ボックス３０ｄとを備えている。
【０１５５】
図１および図２に示された紙幣処理機と同様に、汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄの底部は、シャッタによって構成され、シャッタを開放することによって、汚損紙幣一時貯留ボックス２８内に一時的に貯留された汚損紙幣、第一の紙幣一時貯留ボックス２７ａ内に一時的に貯留された第一の金種の紙幣、第二の紙幣一時貯留ボックス２７ｂ内に一時的に貯留された第二の金種の紙幣、第三の紙幣一時貯留ボックス２７ｃ内に一時的に貯留された第三の金種の紙幣および第四の紙幣一時貯留ボックス２７ｄ内に一時的に貯留された第四の金種の紙幣が、それぞれ、汚損紙幣収納ボックス３１、第一の紙幣収納ボックス３０ａ、第二の紙幣収納ボックス３０ｂ、第三の紙幣収納ボックス３０ｃおよび第四の紙幣収納ボックス３０ｄ内に送られて、収納されるように構成されている。
【０１５６】
図１および図２に示された紙幣処理機と同様に、第一の紙幣収納ボックス３０ａの下部には、第一の紙幣収納ボックス３０ａ内に収納された紙幣を、出金すべき紙幣として、１枚ずつ、出金紙幣搬送路３５内に繰り出す第一の紙幣繰り出し部３３ａが設けられ、第二の紙幣収納ボックス３０ｂの下部には、第二の紙幣収納ボックス３０ｂ内に収納された紙幣を、出金すべき紙幣として、１枚ずつ、出金紙幣搬送路３５内に繰り出す第二の紙幣繰り出し部３３ｂが設けられている。さらに、第三の紙幣収納ボックス３０ｃの下部には、第三の紙幣収納ボックス３０ｃ内に収納された紙幣を、出金すべき紙幣として、１枚ずつ、出金紙幣搬送路３５内に繰り出す第三の紙幣繰り出し部３３ｃが設けられ、第四の紙幣収納ボックス３０ｄの下部には、第四の紙幣収納ボックス３０ｄ内に収納された紙幣を、出金すべき紙幣として、１枚ずつ、出金紙幣搬送路３５内に繰り出す第四の紙幣繰り出し部３３ｄが設けられている。
【０１５７】
図１および図２に示された紙幣処理機と同様に、汚損紙幣収納ボックス３１内に収納された汚損紙幣は回収され、出金には利用されないため、汚損紙幣収納ボックス３１内に収納された汚損紙幣を、出金紙幣搬送路３５内に繰り出すための紙幣繰り出し部は設けられていない。
【０１５８】
図３に示されるように、出金紙幣搬送路３５には、第一の紙幣収納ボックス３０ａ、第二の紙幣収納ボックス３０ｂ、第三の紙幣収納ボックス３０ｃあるいは第四の紙幣収納ボックス３０ｄから繰り出された出金すべき紙幣を判別するとともに、出金すべき紙幣を金種別に計数する出金紙幣判別部４０が設けられている。
【０１５９】
出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、第一の紙幣収納ボックス３０ａ、第二の紙幣収納ボックス３０ｂ、第三の紙幣収納ボックス３０ｃあるいは第四の紙幣収納ボックス３０ｄから繰り出された出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット（図示せず）と、出金すべき紙幣に形成されたインレット中のＩＣチップに記録された紙幣のＩＤデータ、紙幣の金種データなどのＲＦＩＤデータを読み取るＲＦＩＤリーダー（図示せず）とを備えている。
【０１６０】
このように、出金紙幣判別部４０は、ＲＦＩＤリーダーを備えているため、ＲＦＩＤリーダーが出金紙幣判別部４０外に存在する紙幣のＲＦＩＤデータを読み取ることがないように、ＲＦＩＤリーダーから発信される周波数の電波を遮蔽する性質を有する材料によって形成されたケーシング４０ｃによって覆われている。
【０１６１】
図３に示されるように、出金紙幣判別部４０の下流側において、出金紙幣搬送路３５から、分岐搬送路４１が分岐し、分岐搬送路４１は、紙幣回収ボックス４３に接続されている。分岐搬送路４１の分岐部には、出金すべき紙幣を出金紙幣搬送路３５および分岐搬送路４１のいずれかに選択的に導くゲート部材４２が設けられている。
【０１６２】
出金紙幣判別部４０によって、偽造紙幣あるいは外国紙幣と判別された紙幣、２枚以上の紙幣の全部あるいは一部が重なり合って、送られていると判別された紙幣ならびに紙幣の短辺が紙幣の搬送方向と角度をなして送られていると判別された紙幣は、出金紙幣搬送路３５、ゲート部材４２および分岐搬送路４１を介して、紙幣回収ボックス４３内に送られて、回収されるように構成されている。
【０１６３】
また、図３に示されるように、分岐搬送路４１の分岐部の下流側において、出金紙幣搬送路３５から分岐し、分岐搬送路１７の分岐部の下流側で、かつ、分岐搬送路１９の分岐部の上流側の搬送路１６に接続される分岐搬送路４５が設けられており、分岐搬送路４５の分岐部には、紙幣を出金紙幣搬送路３５および分岐搬送路４５のいずれか一方に選択的に導くゲート部材４６が設けられている。
【０１６４】
さらに、図３に示されるように、分岐搬送路４５の分岐部の下流側において、出金紙幣搬送路３５から分岐し、第一の紙幣帯封機構２内に延びる接続搬送路４７が設けられており、接続搬送路４７の分岐部には、紙幣を出金紙幣搬送路３５および接続搬送路４７のいずれか一方に選択的に導くゲート部材４８が設けられている。
【０１６５】
真正でかつ現に流通している紙幣が、１枚ずつ、その短辺が紙幣の搬送方向と平行になるように送られている場合には、その紙幣は、出金紙幣判別部４０から、出金紙幣搬送路３５、ゲート部材４２、出金紙幣搬送路３５、ゲート部材４６、出金紙幣搬送路３５、ゲート部材４８および出金紙幣搬送路３５を介して、紙幣出金口１２に送られて、出金される。
【０１６６】
上述のように、本実施態様にかかる紙幣処理機の紙幣入出金機構１は、サブハウジング１０ａ内に設けられ、分岐搬送路４５の分岐部の下流側において、出金紙幣搬送路３５から分岐し、第一の紙幣帯封機構２内に延びる接続搬送路４７と、接続搬送路４７の分岐部に、紙幣を出金紙幣搬送路３５および接続搬送路４７のいずれか一方に選択的に導くゲート部材４８が設けられている点を除き、図１および図２に示された紙幣処理機と同じ構成を有している。
【０１６７】
図３に示されるように、接続搬送路４７を介して、紙幣入出金機構１と接続された第一の紙幣帯封機構２は、サブハウジング１０ｂ内に収容され、所定枚数の紙幣を集積して、集積紙幣を生成する第一の紙幣集積ボックス８１および所定枚数の紙幣を集積して、集積紙幣を生成する第二の紙幣集積ボックス８２を備えた第一の紙幣帯封ユニット８０を備えている。本実施態様においては、第一の紙幣集積ボックス８１および第二の紙幣集積ボックス８２は、それぞれ、１００枚の紙幣を集積可能に構成されている。
【０１６８】
接続搬送路４７は、第一の紙幣帯封機構２内において、第一の分岐搬送路８３および第二の分岐搬送路８４に分岐し、第一の分岐搬送路８３は、第一の紙幣集積ボックス８１に接続され、第二の分岐搬送路８４は、第二の紙幣集積ボックス８２に接続されている。
【０１６９】
図３に示されるように、第一の分岐搬送路８３と第二の分岐搬送路８４の分岐部には、ゲート部材８５が設けられている。
【０１７０】
図３に示されるように、第一の紙幣帯封機構２の第一の紙幣帯封ユニット８０は、第一の紙幣集積ボックス８１および第二の紙幣集積ボックス８２の出口に隣接して、上下方向に移動可能な紙幣保持手段８６を備えている。紙幣保持手段８６は、一対の挟持部材８６ａ、８６ｂを備えている。
【０１７１】
図３に示されるように、第一の紙幣帯封機構２の第一の紙幣帯封ユニット８０は、さらに、紙幣保持手段８６によって挟持された１００枚の集積紙幣に向けて、ＩＣチップとアンテナを含むインレット（図示せず）が所定の間隔で形成された結束テープＴ１を供給する結束テープ供給部材８７と、結束テープ供給部材８７によって供給された結束テープＴ１を、紙幣保持手段８６の一対の挟持部材８６ａ、８６ｂによって挟持された１００枚の集積紙幣の略中央部に巻き付けて、帯封をし、第一の所定数に等しい枚数、たとえば、１００枚の紙幣を含む単位紙幣束を生成する巻き付け手段（図示せず）を備え、さらに、結束テープ供給部材８７の近傍には、結束テープＴ１に形成されたインレット内のＩＣチップに、結束テープＴ１を巻き付けて、生成されるべき単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター８８が設けられている。
【０１７２】
インレットを結束テープＴ１に形成する方法としては、結束テープＴ１用の紙を抄く際に、結束テープＴ１用の紙にインレットを埋め込む方法、結束テープＴ１にインレットを貼り付ける方法、結束テープＴ１にインレットを印刷する方法などが挙げられるが、とくに限定されるものではない。
【０１７３】
第一の紙幣帯封ユニット８０の第一の紙幣集積ボックス８１および第二の紙幣集積ボックス８２、紙幣保持手段８６、巻き付け手段、ＲＦＩＤライター８８およびＲＦＩＤライター８８の近傍の結束テープＴ１の搬送路は、結束テープＴ１に形成されたインレット内のＩＣチップにＲＦＩＤデータを書き込む際に、ＲＦＩＤライター８８から発信される周波数の電波を遮蔽する材料によって形成されたケーシング８９によって覆われている。
【０１７４】
図３に示されるように、第一の紙幣帯封機構２は、第一の紙幣帯封ユニット８０の下方に、紙幣束収納ユニット９０を備えている。紙幣束収納ユニット９０は、通常は、ロック部材（図示せず）によって、ロックされて、紙幣処理機に固定され、ロック部材によるロックが解除されたときは、スライドさせて、紙幣処理機から取り出し可能に構成されている。
【０１７５】
図３に示されるように、紙幣束収納ユニット９０は、第一の金種の単位紙幣束を収納する第一の紙幣束収納ボックス９０ａと、第二の金種の単位紙幣束を収納する第二の紙幣束収納ボックス９０ｂと、第三の金種の単位紙幣束を収納する第三の紙幣束収納ボックス９０ｃと、第四の金種の単位紙幣束を収納する第四の紙幣束収納ボックス９０ｄを備えており、第一の紙幣帯封ユニット８０によって生成された単位紙幣束は、金種にしたがって、紙幣束搬送機構９１によって、第一の紙幣束収納ボックス９０ａ、第二の紙幣束収納ボックス９０ｂ、第三の紙幣束収納ボックス９０ｃおよび第四の紙幣束収納ボックス９０ｄのいずれかに選択的に送られて、収納されるように構成されている。
【０１７６】
図３に示されるように、第一の紙幣束収納ボックス９０ａの下部には、第一の紙幣束収納ボックス９０ａ内に収納された単位紙幣束を、１つずつ、紙幣束搬送路９２に繰り出す第一の紙幣束繰り出し部９３ａが設けられ、第二の紙幣束収納ボックス９０ｂの下部には、第二の紙幣束収納ボックス９０ｂ内に収納された単位紙幣束を、１つずつ、紙幣束搬送路９２に繰り出す第二の紙幣束繰り出し部９３ｂが設けられている。さらに、第三の紙幣束収納ボックス９０ｃの下部には、第三の紙幣束収納ボックス９０ｃ内に収納された単位紙幣束を、１つずつ、紙幣束搬送路９２に繰り出す第三の紙幣束繰り出し部９３ｃが設けられ、第四の紙幣束収納ボックス９０ｄの下部には、第四の紙幣束収納ボックス９０ｄ内に収納された単位紙幣束を、１つずつ、紙幣束搬送路９２に繰り出す第四の紙幣束繰り出し部９３ｄが設けられている。
【０１７７】
図３に示されるように、紙幣束搬送路９２は、紙幣束出金搬送路９５および第二の紙幣帯封機構３内に延びる接続搬送路９６に分岐しており、紙幣束出金搬送路９５および接続搬送路９６の分岐部には、紙幣束搬送路９２を、紙幣束出金搬送路９５および接続搬送路９６の一方に選択的に接続するゲート部材９７が設けられている。
【０１７８】
紙幣束出金搬送路９５は、ハウジング１０ｂの上部に設けられた紙幣束出金口９８に接続され、紙幣束出金搬送路９５には、紙幣束検出部９９が設けられている。
【０１７９】
図３に示されるように、紙幣束検出部９９は、ＲＦＩＤリーダー（図示せず）を備え、ＲＦＩＤリーダーから発信される周波数の電波を遮蔽する性質を有する材料によって形成されたケーシング９９ｂによって覆われている。
【０１８０】
第二の紙幣帯封機構３は、第一の所定数に等しい枚数の紙幣、たとえば、１００枚の紙幣に帯封が付された単位紙幣束を、第二の所定数に等しい数、たとえば、１０束だけ、束ねて、帯封を付し、単位紙幣束が積層された紙幣束を作成するものであり、図３に示されるように、接続搬送路９６を介して、第一の紙幣帯封機構２と接続され、サブハウジング１０ｃ内に収容されている。
【０１８１】
また、図３に示されるように、サブハウジング１０ｃの紙幣入出金機構１と反対側の側部には、第一の所定数に等しい枚数の紙幣、たとえば、１００枚の紙幣に、ＩＣチップとアンテナを含むインレットが形成された結束テープＴ１が巻き付けられて、帯封が付された単位紙幣束が投入される紙幣束入金口１００と、第二の所定数に等しい数の単位紙幣束が積層され、結束テープが巻き付けられて、帯封がされた紙幣束が出金される紙幣束出金口１０１が設けられている。
【０１８２】
したがって、本実施態様にかかる第二の紙幣帯封機構３は、第一の紙幣帯封機構２によって生成された単位紙幣束を、第二の所定数に等しい数だけ、束ねて、帯封を付し、単位紙幣束が積層された紙幣束を作成可能であるとともに、紙幣束入金口１００から投入された単位紙幣束を、第二の所定数に等しい数だけ、束ねて、帯封を付し、単位紙幣束が積層された紙幣束を作成可能に構成されている。
【０１８３】
図３に示されるように、接続搬送路９６と、紙幣束入金口１００に接続された入金紙幣束搬送路１０２とは、紙幣束搬送路１０３に合流し、紙幣束搬送路１０３は、データ読み取り部１０５に接続されている。データ読み取り部１０５は、単位紙幣束に巻き付けられた結束テープＴ１に形成されているインレット内のＩＣチップに書き込まれたＲＦＩＤデータを読み取る第一のＲＦＩＤリーダー（図示せず）と、単位紙幣束に含まれた紙幣に形成されているインレット内のＩＣチップに書き込まれたＲＦＩＤデータを読み取る第二のＲＦＩＤリーダー（図示せず）を備え、第一のＲＦＩＤリーダーおよび第二のＲＦＩＤリーダーから発信される周波数の電波を遮蔽する材料によって形成されたケーシング１０５ｃによって覆われている。
【０１８４】
図３に示されるように、第二の紙幣帯封機構３は、さらに、紙幣束搬送路１０３を介して、データ読み取り部１０５に接続された第二の紙幣帯封ユニット１１０を備えている。
【０１８５】
第二の紙幣帯封機構３の第二の紙幣帯封ユニット１１０は、第一の所定数に等しい枚数の紙幣、たとえば、１００枚の紙幣に、ＩＣチップとアンテナを含むインレットが形成された結束テープＴ１が巻き付けられて、帯封が付された単位紙幣束を、第二の所定数に等しい数だけ、たとえば、１０束だけ、集積させる紙幣束集積手段１１１と、一対の挟持部材（図示せず）を備え、紙幣束集積手段１１１によって集積された第二の所定数に等しい数の単位紙幣束を、一対の挟持部材の間に挟持する紙幣束保持部材１１２と、紙幣束保持部材１１２によって挟持された第二の所定数に等しい数の単位紙幣束にＩＣチップとアンテナを含むインレットが所定の間隔で形成された結束テープＴ２を供給する結束テープ供給部材１１３と、結束テープ供給部材１１３によって供給された結束テープＴ２を、紙幣束保持部材１１２によって挟持された第二の所定数に等しい数の単位紙幣束の略中央部に巻き付けて、帯封を付す巻き付け手段１１４と、第二の所定数に等しい数の単位紙幣に巻き付けられるべき結束テープＴ２に形成されたインレット内のＩＣチップに、生成されるべき紙幣束に含まれる紙幣のＩＤデータ、金種データなどの紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター１１５を備えている。
【０１８６】
インレットを結束テープＴ２に形成する方法としては、結束テープＴ２用の紙を抄く際に、インレットを結束テープＴ２用の紙に埋め込む方法、結束テープＴ２にインレットを貼り付ける方法、結束テープＴ２にインレットを印刷する方法などが挙げられるが、とくに限定されるものではない。
【０１８７】
第二の紙幣帯封ユニット１１０の紙幣束集積手段１１１、紙幣束保持部材１１２、巻き付け手段１１４、ＲＦＩＤライター１１５およびＲＦＩＤライター１１５の近傍の結束テープＴ２の搬送路は、結束テープＴ２に形成されたインレット内のＩＣチップにＲＦＩＤデータを書き込む際に、ＲＦＩＤライター１１５から発信される周波数の電波を遮蔽する材料によって形成されたケーシング１１６によって覆われている。
【０１８８】
図３に示されるように、第二の紙幣帯封ユニット１１０は、紙幣束搬送路１１７を介して、紙幣束出金口１０１に接続されており、第二の紙幣帯封ユニット１１０によって、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束出金口１０１から出金されるように構成されている。
【０１８９】
図４は、図３に示された紙幣処理機の制御系、検出系、駆動系、入力系および表示系を示すブロックダイアグラムである。
【０１９０】
図４に示されるように、本実施態様にかかる紙幣処理機の制御系は、紙幣処理機の動作を制御するＣＰＵ５０と、紙幣入出金機の制御プログラムなどが格納されたＲＯＭ５１と、各種データを記憶するＲＡＭ５２と、時計５３を備えている。
【０１９１】
ここに、ＲＡＭ５２には、紙幣処理機が設置されている金融機関名、支店名、紙幣処理機のＩＤデータなどの紙幣処理機に関するデータが記憶されている。
【０１９２】
また、図４に示されるように、ＣＰＵ５０は、紙幣束に帯封処理を施す権限を有する金融機関によって、共同管理されている中央管理サーバ５４に接続されており、中央管理サーバ５４には、各金融機関が、所定枚数の紙幣に、結束テープを巻回して、帯封をし、紙幣束を生成する際に、結束テープに形成されたインレット内のＩＣチップに書き込んだ帯封処理に関するデータが記憶されている。
【０１９３】
図４に示されるように、本実施態様にかかる紙幣処理機の検出系は、紙幣入出金機構１の検出系１５１、第一の紙幣帯封機構２の検出系１５２および第二の紙幣帯封機構３の検出系１５３を備えている。
【０１９４】
紙幣入出金機構１の検出系１５１は、図１および図２に示された紙幣入出金機の検出系と同様に、紙幣判別部１５および出金紙幣判別部４０を備えている。紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損のレベル、紙幣が１枚ずつ送られているか否かならびに紙幣の短辺が紙幣の搬送方向と平行になるように送られているか否かを判別するための光学データおよび磁気データを生成するセンサユニット１５ａと、紙幣に形成されたインレット中のＩＣチップに記録された紙幣のＩＤデータ、紙幣の金種データなどのＲＦＩＤデータを読み取るＲＦＩＤリーダー１５ｂとを備えている。また、出金紙幣判別部４０も、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、出金すべき紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、出金すべき紙幣に形成されたインレット中のＩＣチップに記録された紙幣のＩＤデータ、紙幣の金種データなどのＲＦＩＤデータを読み取るＲＦＩＤリーダー４０ｂとを備えている。
【０１９５】
図４に示されるように、第一の紙幣帯封機構２の検出系１５２は、紙幣束出金搬送路９５に設けられたＲＦＩＤリーダー９９ａを備えた紙幣束検出部９９を備えている。
【０１９６】
図４に示されるように、第二の紙幣帯封機構３の検出系１５３は、データ読み取り部１０５を備え、データ読み取り部１０５は、単位紙幣束に巻き付けられた結束テープＴ１に形成されているインレット内のＩＣチップに書き込まれたＲＦＩＤデータを読み取る第一のＲＦＩＤリーダー１０５ａと、単位紙幣束に含まれた紙幣に形成されているインレット内のＩＣチップに書き込まれたＲＦＩＤデータを読み取る第二のＲＦＩＤリーダー１０５ｂを備えている。
【０１９７】
図４に示されるように、本実施態様にかかる紙幣処理機の駆動系は、紙幣入出金機構１の駆動系１６１、第一の紙幣帯封機構２の駆動系１６２および第二の紙幣帯封機構３の駆動系１６３を備えている。
【０１９８】
図５は、図３に示された紙幣処理機の紙幣入出金機構１の駆動系１６１を示すブロックダイアグラムである。
【０１９９】
図５に示されるように、紙幣入出金機構１の駆動系１６１は、図１および図２に示された紙幣入出金機の駆動系を同様に、ゲート部材１８を駆動するソレノイド５６と、ゲート部材２３を駆動するソレノイド５７と、ゲート部材２４を選択的に駆動するソレノイド５８と、ゲート部材２５を駆動するソレノイド５９と、ゲート部材２６を駆動するソレノイド６０と、ゲート部材４２を駆動するソレノイド６１と、ゲート部材４６を駆動するソレノイド６２と、第一の紙幣収納ボックス３０ａに設けられた一対の係止爪３２ａ、３２ａを突出位置に揺動させるソレノイド手段６４ａと、第二の紙幣収納ボックス３０ｂに設けられた一対の係止爪３２ｂ、３２ｂを突出位置に揺動させるソレノイド手段６４ｂと、第三の紙幣収納ボックス３０ｃに設けられた一対の係止爪３２ｃ、３２ｃを突出位置に揺動させるソレノイド手段６４ｃと、第四の紙幣収納ボックス３０ｄに設けられた一対の係止爪３２ｄ、３２ｄを突出位置に揺動させるソレノイド手段６４ｄと、汚損紙幣一時貯留ボックス２８の底部を構成するシャッタを駆動するソレノイド６５と、第一の紙幣一時貯留ボックス２７ａの底部を構成するシャッタを駆動するソレノイド６６と、第二の紙幣一時貯留ボックス２７ｂの底部を構成するシャッタを駆動するソレノイド６７と、第三の紙幣一時貯留ボックス２７ｃの底部を構成するシャッタを駆動するソレノイド６８と、第四の紙幣一時貯留ボックス２７ｄの底部を構成するシャッタを駆動するソレノイド６９と、第一の紙幣収納ボックス３０ａに設けられた一対の係止爪３２ａ、３２ａを昇降させるモータ７０ａと、第二の紙幣収納ボックス３０ｂに設けられた一対の係止爪３２ｂ、３２ｂを昇降させるモータ７０ｂと、第三の紙幣収納ボックス３０ｃに設けられた一対の係止爪３２ｃ、３２ｃを昇降させるモータ７０ｃと、第四の紙幣収納ボックス３０ｄに設けられた一対の係止爪３２ｄ、３２ｄを昇降させるモータ７０ｄと、第一の紙幣収納ボックス３０ａの下部に設けられ、第一の紙幣収納ボックス３０ａ内に収納された紙幣を、出金すべき紙幣として、１枚ずつ、出金紙幣搬送路３５内に繰り出す第一の紙幣繰り出し部３３ａと、第二の紙幣収納ボックス３０ｂの下部に設けられ、第二の紙幣収納ボックス３０ｂ内に収納された紙幣を、出金すべき紙幣として、１枚ずつ、出金紙幣搬送路３５内に繰り出す第二の紙幣繰り出し部３３ｂと、第三の紙幣収納ボックス３０ｃの下部に設けられ、第三の紙幣収納ボックス３０ｃ内に収納された紙幣を、出金すべき紙幣として、１枚ずつ、出金紙幣搬送路３５内に繰り出す第三の紙幣繰り出し部３３ｃと、第四の紙幣収納ボックス３０ｄの下部に設けられ、第四の紙幣収納ボックス３０ｄ内に収納された紙幣を、出金すべき紙幣として、１枚ずつ、出金紙幣搬送路３５内に繰り出す第四の紙幣繰り出し部３３ｄとを備えている。
【０２００】
図５に示されるように、紙幣入出金機構１の駆動系１６１は、さらに、紙幣入出金機構１の搬送路１４、搬送路１６、分岐搬送路１７、分岐搬送路１９、分岐搬送路２０、分岐搬送路２１、分岐搬送路２２、出金紙幣搬送路３５、分岐搬送路４１ならびに分岐搬送路４５に設けられた搬送ローラ（図示せず）を駆動するローラ駆動手段５５ａと、紙幣入出金機構１と第一の紙幣帯封機構２を接続する接続搬送路４７、紙幣束搬送路９２および紙幣束出金搬送路９５に設けられた搬送ローラ（図示せず）を駆動するローラ駆動手段５５ｂと、第一の紙幣帯封機構２と第二の紙幣帯封機構３を接続する接続搬送路９６、入金紙幣束搬送路１０２、紙幣束搬送路１０３および紙幣束搬送路１１７に設けられた搬送ローラ（図示せず）を駆動するローラ駆動手段５５ｃと、ゲート部材４８を駆動するソレノイド６３を備えている。
【０２０１】
図６は、図３に示された紙幣処理機の第一の紙幣帯封機構２の駆動系１６２を示すブロックダイアグラムである。
【０２０２】
図６に示されるように、第一の紙幣帯封機構２の駆動系１６２は、ゲート部材８５を駆動するソレノイド１２０と、第一の紙幣帯封ユニット８０の第一の紙幣集積ボックス８１内に集積された紙幣を送り出す第一の集積紙幣送り出し手段１２１と、第一の紙幣帯封ユニット８０の第二の紙幣集積ボックス８２内に集積された紙幣を送り出す第二の集積紙幣送り出し手段１２２と、第一の紙幣帯封ユニット８０の紙幣保持手段８６を上下方向に移動させるモータ１２３と、第一の紙幣帯封ユニット８０の紙幣保持手段８６の一対の挟持部材８６ａ、８６ｂを相対的に移動させるモータ１２４と、第一の紙幣帯封ユニット８０の結束テープ供給部材８７を駆動するモータ１２５と、第一の紙幣帯封ユニット８０の巻き付け手段（図示せず）を駆動する巻き付けモータ１２６と、第一の紙幣帯封ユニット８０のＲＦＩＤライター８８を駆動するＲＦＩＤライター駆動手段１２７と、紙幣束搬送機構９１を駆動する紙幣束搬送機構駆動手段１２８と、第一の紙幣束収納ボックス９０ａ内に収納された単位紙幣束を、１つずつ、紙幣束搬送路９２に繰り出す第一の紙幣束繰り出し部９３ａと、第二の紙幣束収納ボックス９０ｂ内に収納された単位紙幣束を、１つずつ、紙幣束搬送路９２に繰り出す第二の紙幣束繰り出し部９３ｂと、第三の紙幣束収納ボックス９０ｃ内に収納された単位紙幣束を、１つずつ、紙幣束搬送路９２に繰り出す第三の繰り出し部９３ｃと、第四の紙幣束収納ボックス９０ｄ内に収納された単位紙幣束を、１つずつ、紙幣束搬送路９２に繰り出す第四の紙幣束繰り出し部９３ｄと、第一の紙幣帯封機構２に設けられたゲート部材９７を駆動するソレノイド１２９を備えている。
【０２０３】
図７は、図３に示された紙幣処理機の第二の紙幣帯封機構３の駆動系１６３を示すブロックダイアグラムである。
【０２０４】
図７に示されるように、第二の紙幣帯封機構３の駆動系１６３は、第二の紙幣帯封ユニット１１０の紙幣束集積手段１１１内で集積された第二の所定数に等しい数の単位紙幣束を、紙幣束保持手段１１２に向けて、送り出す紙幣束送り出し手段１３０と、第二の紙幣帯封ユニット１１０の紙幣束保持手段１１２の一対の挟持部材を相対的に移動させるモータ１３１と、第二の紙幣帯封ユニット１１０の結束テープ供給部材１１３を駆動するモータ１３２と、第二の紙幣帯封ユニット１１０の巻き付け手段１１４を駆動する巻き付けモータ１３３と、第二の紙幣帯封ユニット１１０のＲＦＩＤライター１１５を駆動するＲＦＩＤライター駆動手段１３５とを備えている。
【０２０５】
図４に示されるように、本実施態様にかかる紙幣処理機の入力系は、オペレータによって操作され、種々の指示信号が入力されるキーボード７５を備えており、紙幣入出金機の表示系は、紙幣の計数結果などを表示するディスプレイ７７を備えている。
【０２０６】
以上のように構成された本実施態様にかかる紙幣処理機に、紙幣を入金する場合は、図１および図２に示された紙幣処理機と同様にして、紙幣入金口１１から、紙幣が投入され、金種別に、紙幣入出金機構１の第一の紙幣収納ボックス３０ａ、第二の紙幣収納ボックス３０ｂ、第三の紙幣収納ボックス３０ｃおよび第四の紙幣収納ボックス３０ｄ内に収納される。
【０２０７】
また、本実施態様にかかる紙幣処理機から、紙幣を出金する場合においても、図１および図２に示された紙幣処理機と同様にして、紙幣入出金機構１の第一の紙幣収納ボックス３０ａ、第二の紙幣収納ボックス３０ｂ、第三の紙幣収納ボックス３０ｃおよび／または第四の紙幣収納ボックス３０ｄから、紙幣が１枚ずつ、繰り出され、紙幣出金口１２に出金される。
【０２０８】
これに対して、第一の紙幣帯封機構２を用いて、紙幣入出金機構１の第一の紙幣収納ボックス３０ａ、第二の紙幣収納ボックス３０ｂ、第三の紙幣収納ボックス３０ｃおよび／または第四の紙幣収納ボックス３０ｄに収納された紙幣の単位紙幣束を生成する場合には、まず、オペレータによって、単位紙幣束を生成すべき紙幣の金種および単位紙幣束に含まれるべき紙幣の枚数を特定するとともに、生成すべき単位紙幣束の数を特定する第一の紙幣束データと、第一の紙幣束生成信号とが、キーボード７５に入力される。同時に、オペレータによって、金融機関名、支店名、紙幣処理機のＩＤデータならびにオペレータの名前などの帯封処理に関するデータがキーボード７５に入力される。
【０２０９】
オペレータによって入力された第一の紙幣束データおよび帯封処理に関するデータならびに第一の紙幣束生成信号はＣＰＵ５０に出力され、オペレータによって入力された第一の紙幣束データおよび帯封処理に関するデータならびに第一の紙幣束生成信号を受けると、ＣＰＵ５０は、オペレータによって入力された第一の紙幣束生成データおよび帯封処理に関するデータを、ＲＡＭ５２の第一の紙幣帯封機構２を管理するデータを格納するメモリ領域に書き込むとともに、ゲート部材４８を駆動するソレノイド６３に駆動信号を出力して、出金紙幣搬送路３５と接続搬送路４７とを連通させ、さらに、ローラ駆動手段５５ｂに駆動信号を出力して、紙幣入出金機構１と第一の紙幣帯封機構２を接続する接続搬送路４７、紙幣束搬送路９２および紙幣束出金搬送路９５に設けられた搬送ローラ（図示せず）を駆動する点を除き、図１および図２に示された紙幣処理機において、出金データと出金信号が入力された場合と同様にして、紙幣入出金機構１の第一の紙幣収納ボックス３０ａ、第二の紙幣収納ボックス３０ｂ、第三の紙幣収納ボックス３０ｃあるいは第四の紙幣収納ボックス３０ｄから、出金紙幣搬送路３５内に、１枚ずつ、紙幣を繰り出す。
【０２１０】
第一の紙幣収納ボックス３０ａ、第二の紙幣収納ボックス３０ｂ、第三の紙幣収納ボックス３０ｃあるいは第四の紙幣収納ボックス３０ｄから繰り出され、出金紙幣判別部４０によって検出されたデータに基づいて、真正でかつ現に流通している紙幣で、１枚ずつ、その短辺が紙幣の搬送方向と平行になるように送られていると判別された紙幣は、出金紙幣搬送路３５、ゲート部材４２、出金紙幣搬送路３５、ゲート部材４６および出金紙幣搬送路３５を介して、出金紙幣搬送路３５と接続搬送路４７の分岐部に送られる。
【０２１１】
この際、ＣＰＵ５０は、出金紙幣判別部４０から入力された紙幣の光学データ、磁気データおよびＲＦＩＤデータに基づいて、出金紙幣搬送路３５と接続搬送路４７の分岐部に送られた金種の紙幣の枚数を管理するためのデータを格納するメモリ領域に書き込まれた紙幣の計数データを書き換えるとともに、ＲＡＭ５２の第一の紙幣帯封機構２を管理するデータを格納するメモリ領域に、紙幣入出金機構１から、第一の紙幣帯封機構２に送られた紙幣のＩＤデータ、金種データおよび金種別の枚数データを書き込む。
【０２１２】
ここに、ゲート部材４８は、あらかじめ、出金紙幣搬送路３５と接続搬送路４７とを連通させる位置に移動されているから、紙幣は、接続搬送路４７内を進み、第一の紙幣帯封機構２内に送られる。
【０２１３】
一方、出金紙幣判別部４０によって検出されたデータに基づいて、偽造紙幣、外国紙幣などの流通していない紙幣と判別された紙幣、２枚以上の紙幣の全部あるいは一部が重なり合って、搬送されていると判別された紙幣ならびにその短辺が紙幣の搬送方向と角度をなして搬送されていると判別された紙幣は、紙幣回収ボックス４３内に導かれて、回収される。
【０２１４】
この際、ＣＰＵ５０は、ＲＦＩＤリーダー４０ｂによって読み取られた紙幣のＲＦＩＤデータに基づいて、紙幣回収ボックス４３内に回収された紙幣の金種および枚数を判別して、ＲＡＭ５２の紙幣回収ボックス４３内に回収された紙幣の枚数を管理するデータを格納するメモリ領域に書き込まれた紙幣の計数データを書き換えるとともに、その金種の紙幣の枚数を管理するためのデータを格納するＲＡＭ５２のメモリ領域に書き込まれた紙幣の計数データを書き換える。
【０２１５】
第一の紙幣帯封機構２内に送られた紙幣は、第一の紙幣集積ボックス８１内に送られて、集積される。
【０２１６】
こうして、次々に、紙幣入出金機構１の第一の紙幣収納ボックス３０ａ、第二の紙幣収納ボックス３０ｂ、第三の紙幣収納ボックス３０ｃあるいは第四の紙幣収納ボックス３０ｄから繰り出された紙幣が、第一の紙幣集積ボックス８１内に送られて、集積された結果、ＲＡＭ５２の第一の紙幣帯封機構２を管理するデータを格納するメモリ領域に書き込まれた第一の紙幣束生成データならびに紙幣入出金機構１から、第一の紙幣帯封機構２に送られた紙幣のＩＤデータ、金種データおよび金種別の枚数データに基づいて、第一の紙幣集積ボックス８１内に、所定枚数の紙幣、たとえば、１００枚の紙幣が集積され、ＲＡＭ５２に書き込まれた単位紙幣束に含まれるべき紙幣の枚数に等しくなったと判別すると、ＣＰＵ５０は、ゲート部材８５を駆動するソレノイド１２０に駆動信号を出力して、接続搬送路４７を第二の分岐搬送路８４に接続し、その後に、第一の紙幣帯封機構２に送られてくる紙幣を、第二の紙幣集積ボックス８２内に導く。
【０２１７】
さらに、ＣＰＵ５０は、第一の紙幣帯封ユニット８０の紙幣保持手段８６を上下方向に移動させるモータ１２３に駆動信号を出力して、紙幣保持手段８６を第一の紙幣集積ボックス８１の出口に隣接するように位置させ、さらに、第一の集積紙幣送り出し手段１２１に駆動信号を出力して、第一の紙幣集積ボックス８１内に集積された紙幣を、紙幣保持手段８６の一対の挟持部材８６ａ、８６ｂの間に送り出す。
【０２１８】
次いで、ＣＰＵ５０は、モータ１２４に駆動信号を出力して、紙幣保持手段８６の一対の挟持部材８６ａ、８６ｂを近接させ、第一の紙幣集積ボックス８１から送り出された集積紙幣を挟持させる。
【０２１９】
次いで、ＣＰＵ５０は、第一の紙幣帯封ユニット８０の結束テープ供給部材８７を駆動するモータ１２５に駆動信号を出力して、結束テープ供給部材８７を駆動させ、結束テープＴ１を、紙幣保持手段８６の一対の挟持部材８６ａ、８６ｂによって挟持された第二の所定数に等しい数の単位紙幣束に向けて、繰り出させる。
【０２２０】
さらに、ＣＰＵ５０は、ＲＡＭ５２に書き込まれた生成されるべき紙幣束に含まれる紙幣の金種、ＩＤデータなどの紙幣束を構成する紙幣に関するデータ、金融機関名、支店名、紙幣処理機のＩＤデータならびにオペレータの名前などの帯封処理に関するデータを読み出すとともに、時計５３の計時データを読み出す。
【０２２１】
次いで、ＣＰＵ５０は、第一の紙幣帯封ユニット８０のＲＦＩＤライター８８を駆動するＲＦＩＤライター駆動手段１２７に駆動信号およびＲＡＭ５２から読み出したデータを出力し、結束テープ供給部材８７によって繰り出された結束テープＴ１に形成されたインレット内のＩＣチップに、生成されるべき紙幣束に含まれる紙幣の金種データ、ＩＤデータなどの紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込む。
【０２２２】
さらに、ＣＰＵ５０は、結束テープＴ１に形成されたインレット内のＩＣチップに書き込んだ帯封処理に関するデータを、紙幣束に帯封処理を施す権限を有する金融機関によって、共同管理されている中央管理サーバ５４に出力する。こうして、中央管理サーバ５４に、紙幣束に巻回された結束テープＴ１に、紙幣処理機の第一の紙幣帯封機構２によって、書き込まれた帯封処理に関するデータが格納される。
【０２２３】
ＣＰＵ５０は、第一の紙幣帯封ユニット８０の結束テープ供給部材８７を駆動するモータ１２５に、さらに、駆動信号を出力して、結束テープ供給部材８７を駆動させ、結束テープＴ１を、紙幣保持手段８６の一対の挟持部材８６ａ、８６ｂによって挟持された集積紙幣に供給させ、次いで、第一の紙幣帯封ユニット８０の巻き付け手段（図示せず）を駆動する巻き付けモータ１２６に駆動信号を出力して、巻き付け手段により、紙幣保持手段８６の一対の挟持部材８６ａ、８６ｂによって挟持された集積紙幣の略中央部に、結束テープＴ１を巻き付けさせ、第一の所定数に等しい枚数の紙幣、たとえば、１００枚の紙幣を含む単位紙幣束を生成する。
【０２２４】
こうして、集積紙幣に帯封がされて、第一の所定数に等しい枚数の紙幣を含む単位紙幣束が生成されると、紙幣束搬送機構９１を駆動する紙幣束搬送機構駆動手段１２８に、ＲＡＭ５２から読み出した単位紙幣束に含まれている紙幣の金種データおよび駆動信号を出力して、単位紙幣束に含まれた紙幣の金種に応じて、第一の紙幣束収納ボックス９０ａ、第二の紙幣束収納ボックス９０ｂ、第三の紙幣束収納ボックス９０ｃおよび第四の紙幣束収納ボックス９０ｄのいずれかに、生成された単位紙幣束を収納させる。
【０２２５】
同時に、ＣＰＵ５０は、ＲＡＭ５２の第一の紙幣帯封機構２を管理するためのデータを格納するメモリ領域に、生成された単位紙幣束の金種および数ならびにその単位紙幣束が収納された紙幣束収納ボックスを特定する第一の紙幣束収納データを書き込む。
【０２２６】
ＣＰＵ５０は、ＲＡＭ５２に書き込まれている第一の紙幣束収納データ中の生成された単位紙幣束の数が、ＲＡＭ５２に書き込まれた第一の紙幣束データ中の生成すべき単位紙幣束の数に等しくなるまで、同様の処理を繰り返し、生成された単位紙幣束は、単位紙幣束に含まれた紙幣の金種に応じて、第一の紙幣束収納ボックス９０ａ、第二の紙幣束収納ボックス９０ｂ、第三の紙幣束収納ボックス９０ｃおよび第四の紙幣束収納ボックス９０ｄのいずれかに収納される。
【０２２７】
こうして、第一の紙幣帯封機構２による単位紙幣束の生成処理が完了する。
【０２２８】
一方、第一の紙幣帯封機構２の第一の紙幣束収納ボックス９０ａ、第二の紙幣束収納ボックス９０ｂ、第三の紙幣束収納ボックス９０ｃおよび／または第四の紙幣束収納ボックス９０ｄに収納された単位紙幣束を出金するときは、オペレータによって、出金すべき単位紙幣束の金種および出金すべき単位紙幣束の数を特定する第一の紙幣束出金データと、第一の紙幣束出金信号が、キーボード７５に入力される。
【０２２９】
オペレータによって入力された第一の紙幣束出金データおよび第一の紙幣束出金信号は、ＣＰＵ５０に出力され、第一の紙幣束出金データおよび第一の紙幣束出金信号を受けると、ＣＰＵ５０は、第一の紙幣束出金データをＲＡＭ５２の第一の紙幣帯封機構２を管理するためのデータを格納するメモリ領域に書き込むとともに、ローラ駆動手段５５ｂに駆動信号を出力して、紙幣入出金機構１と第一の紙幣帯封機構２を接続する接続搬送路４７、紙幣束搬送路９２および紙幣束出金搬送路９５に設けられた搬送ローラ（図示せず）を駆動し、さらに、第一の紙幣束出金データに基づいて、第一の紙幣束収納ボックス９０ａ、第二の紙幣束収納ボックス９０ｂ、第三の紙幣束収納ボックス９０ｃおよび第四の紙幣束収納ボックス９０ｄのうち、単位紙幣束を繰り出すべき紙幣束収納ボックスを決定し、対応する紙幣束繰り出し部に駆動信号を出力する。このとき、ＣＰＵ５０は、第一の紙幣帯封機構２に設けられたゲート部材９７を駆動するソレノイド１２９には駆動信号を出力せず、したがって、ゲート部材９７は、紙幣束搬送路９２を紙幣束出金搬送路９５に接続する位置に保持される。
【０２３０】
その結果、オペレータによって指定された金種の単位紙幣束が、対応する紙幣束収納ボックスから、紙幣束搬送路９２内に、１つずつ繰り出され、紙幣束搬送路９２内に繰り出された単位紙幣束は、紙幣束出金搬送路９５に設けられた紙幣束検出部９９に送られる。
【０２３１】
単位紙幣束が、紙幣束検出部９９に送られると、ＲＦＩＤリーダー９９ａによって、単位紙幣束に巻き付けられた結束テープＴ１に形成されたインレット内のＩＣチップに書き込まれたＲＦＩＤデータが読み取られ、紙幣束検出部９９から、ＣＰＵ５０に出力される。
【０２３２】
ＣＰＵ５０は、紙幣束検出部９９から入力されたＲＦＩＤデータに基づき、紙幣束出金口９８に向けて、送られた単位紙幣束の金種および数を特定する紙幣束出金データを、ＲＡＭ５２に書き込む。
【０２３３】
さらに、単位紙幣束は、紙幣束検出部９９から、紙幣束出金口９８に送られて、出金される。
【０２３４】
ＣＰＵ５０は、同様の処理を繰り返し、ＲＡＭ５２に書き込まれている紙幣束出金データによって特定される紙幣束出金口９８に送られた単位紙幣束の金種および数が、ＲＡＭ５２に書き込まれている第一の紙幣束出金データ中の出金すべき単位紙幣束の数に等しくなると、第一の紙幣帯封機構２の第一の紙幣束収納ボックス９０ａ、第二の紙幣束収納ボックス９０ｂ、第三の紙幣束収納ボックス９０ｃおよび／または第四の紙幣束収納ボックス９０ｄに収納された単位紙幣束の出金処理を完了させる。
【０２３５】
本実施態様にかかる紙幣処理機は、さらに、第一の紙幣帯封機構２の第一の紙幣束収納ボックス９０ａ、第二の紙幣束収納ボックス９０ｂ、第三の紙幣束収納ボックス９０ｃおよび第四の紙幣束収納ボックス９０ｄに収納された単位紙幣束を、第二の紙幣帯封機構３に送って、第一の所定数に等しい枚数の紙幣、たとえば、１００枚の紙幣を含む単位紙幣束を、第二の所定数に等しい数だけ、たとえば、１０束の単位紙幣束を重ね合わせ、帯封をし、第二の所定数に等しい数の単位紙幣束を含む紙幣束を生成可能に構成されており、第一の紙幣帯封機構２の第一の紙幣束収納ボックス９０ａ、第二の紙幣束収納ボックス９０ｂ、第三の紙幣束収納ボックス９０ｃおよび第四の紙幣束収納ボックス９０ｄに収納された単位紙幣束を、第二の紙幣帯封機構３に送って、第二の所定数に等しい数だけ、重ね合わせて、帯封をし、第二の所定数に等しい数の単位紙幣束を含む紙幣束を生成する場合には、オペレータによって、第二の所定数に等しい数の単位紙幣束を重ね合わせて、生成すべき紙幣束の金種および生成されるべき紙幣束に含まれる単位紙幣束の数を特定するとともに、生成すべき紙幣束の数を特定する第二の紙幣束データと、第二の紙幣束生成信号とが、キーボード７５に入力される。同時に、オペレータによって、金融機関名、支店名、紙幣処理機のＩＤデータならびにオペレータの名前などの帯封処理に関するデータがキーボード７５に入力される。
【０２３６】
オペレータによって入力された第二の紙幣束データおよび帯封処理に関するデータならびに第二の紙幣束生成信号はＣＰＵ５０に出力され、オペレータによって入力された第二の紙幣束データおよび帯封処理に関するデータならび第二の紙幣束生成信号を受けると、ＣＰＵ５０は、オペレータによって入力された第二の紙幣束データおよび帯封処理に関するデータをＲＡＭ５２の第二の紙幣帯封機構を管理するためのデータを格納するメモリ領域に書き込むとともに、第一の紙幣帯封機構２に設けられたゲート部材９７を駆動するソレノイド１２９に駆動信号を出力して、紙幣束搬送路９２を、第一の紙幣帯封機構２と第二の紙幣帯封機構３とを接続する接続搬送路９６に連通させ、さらに、ローラ駆動手段５５ｃに駆動信号を出力して、第一の紙幣帯封機構２と第二の紙幣帯封機構３を接続する接続搬送路９６、入金紙幣束搬送路１０２、紙幣束搬送路１０３および紙幣束搬送路１１７に設けられた搬送ローラ（図示せず）を駆動する。
【０２３７】
次いで、ＣＰＵ５０は、第二の紙幣束出金データに基づいて、第一の紙幣束収納ボックス９０ａ、第二の紙幣束収納ボックス９０ｂ、第三の紙幣束収納ボックス９０ｃおよび第四の紙幣束収納ボックス９０ｄのうち、単位紙幣束を繰り出すべき紙幣束収納ボックスを決定し、対応する紙幣束繰り出し部に駆動信号を出力する。
【０２３８】
その結果、オペレータによって指定された金種の単位紙幣束が、対応する紙幣束収納ボックスから、紙幣束搬送路９２内に、１つずつ繰り出され、紙幣束搬送路９２内に繰り出された単位紙幣束は、ゲート部材９７によって、第一の紙幣帯封機構２と第二の紙幣帯封機構３とを接続する接続搬送路９６に導かれる。
【０２３９】
接続搬送路９６に導かれた単位紙幣束は、データ読み取り部１０５に送られ、データ読み取り部１０５に設けられたＲＦＩＤリーダー１０５ａによって、単位紙幣束に巻き付けられた結束テープＴ１に形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータが読み取られるとともに、ＲＦＩＤリーダー１０５ｂによって、単位紙幣束に含まれた紙幣に形成されているインレット内のＩＣチップに書き込まれた紙幣のＩＤデータ、金種データなどの各紙幣のＲＦＩＤデータが読み取られ、ＲＦＩＤリーダー１０５ａによって読み取られた紙幣に関するＲＦＩＤデータおよび帯封処理に関するＲＦＩＤデータならびにＲＦＩＤリーダー１０５ｂによって読み取られた各紙幣のＲＦＩＤデータは、データ読み取り部１０５からＣＰＵ５０に出力される。
【０２４０】
ＣＰＵ５０は、データ読み取り部１０５から、紙幣に関するＲＦＩＤデータおよび帯封処理に関するＲＦＩＤデータならびに各紙幣のＲＦＩＤデータを受けると、紙幣に関するＲＦＩＤデータおよび帯封処理に関するＲＦＩＤデータならびに各紙幣のＲＦＩＤデータを、ＲＡＭ５２の第二の紙幣帯封機構３を管理するためのデータを格納するメモリ領域に書き込む。
【０２４１】
次いで、ＣＰＵ５０は、データ読み取り部１０５から入力されたＲＦＩＤデータに基づき、単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致するか否かを判別する。
【０２４２】
その結果、データ読み取り部１０５から入力されたＲＦＩＤデータに基づいて判別された単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致していないときは、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、単位紙幣束を、紙幣束入金口１００に送り出す。
【０２４３】
同時に、ＣＰＵ５０は、データ読み取り部１０５から入力された単位紙幣束を構成している各紙幣のＲＦＩＤデータと結束テープＴ１に形成されたインレット中のＩＣチップに書き込まれた紙幣に関するＲＦＩＤデータとが一致しているか否かを判別するとともに、中央管理サーバ５４にアクセスして、データ読み取り手段１０５から入力された帯封処理に関するデータが、中央管理サーバ５４に格納されているか否かを判別する。
【０２４４】
その結果、単位紙幣束を構成している各紙幣のＲＦＩＤデータと結束テープＴ１に形成されたインレット中のＩＣチップに書き込まれた紙幣に関するＲＦＩＤデータとが一致していないと判別したときは、その単位紙幣束から、紙幣の一部が抜き取られ、あるいは、単位紙幣束を構成している紙幣の一部が他の紙幣に差し替えられているおそれが高いから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、単位紙幣束を、紙幣束入金口１００に送り出す。
【０２４５】
一方、データ読み取り手段１０５から入力された帯封処理に関するデータが、中央管理サーバ５４に格納されていないと判別したときは、その単位紙幣束が、紙幣束を生成する権限がない者によって生成されたおそれが高いから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、単位紙幣束を、紙幣束入金口１００に送り出す。
【０２４６】
これに対して、データ読み取り部１０５から入力されたＲＦＩＤデータに基づいて判別された単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致し、かつ、単位紙幣束を構成している各紙幣のＲＦＩＤデータと結束テープＴ１に形成されたインレット中のＩＣチップに書き込まれた紙幣に関するＲＦＩＤデータとが一致するとともに、データ読み取り手段１０５から入力された帯封処理に関するデータが、中央管理サーバ５４に格納されていると判別したときは、単位紙幣束は、データ読み取り部１０５から、第二の紙幣帯封ユニット１１０の紙幣束集積手段１１１に送られて、集積される。
【０２４７】
この場合には、データ読み取り部１０５に送られた単位紙幣束は、オペレータによって特定された紙幣束の金種にしたがって、第一の紙幣帯封機構２の第一の紙幣束収納ボックス９０ａ、第二の紙幣束収納ボックス９０ｂ、第三の紙幣束収納ボックス９０ｃあるいは第四の紙幣束収納ボックス９０ｄから繰り出されたものであるから、データ読み取り部１０５から入力されたＲＦＩＤデータに基づいて判別された単位紙幣束を構成している紙幣の金種は、オペレータによって特定され、ＲＡＭ５２の第二の紙幣帯封機構を管理するためのデータを格納するメモリ領域に書き込まれている生成すべき紙幣束の金種と一致しており、また、データ読み取り部１０５に送られた単位紙幣束は、第一の紙幣帯封機構２によって、紙幣入出金機構１から送られた現に流通している真正な紙幣を重ね合わせて、生成されたものであるから、単位紙幣束を構成している各紙幣のＲＦＩＤデータと結束テープＴ１に形成されたインレット中のＩＣチップに書き込まれた紙幣に関するＲＦＩＤデータとが一致し、データ読み取り手段１０５から入力された帯封処理に関するデータが、中央管理サーバ５４に格納されている。したがって、単位紙幣束は、データ読み取り部１０５から、第二の紙幣帯封ユニット１１０の紙幣束集積手段１１１に送られて、集積される。
【０２４８】
こうして、第一の紙幣束収納ボックス９０ａ、第二の紙幣束収納ボックス９０ｂ、第三の紙幣束収納ボックス９０ｃおよび第四の紙幣束収納ボックス９０ｄのうち、第二の紙幣束出金データに基づいて決定された紙幣束収納ボックスから、紙幣束搬送路９２内に、次々に、単位紙幣束が繰り出され、接続搬送路９６およびデータ読み取り部１０５を介して、第二の紙幣帯封ユニット１１０の紙幣束集積手段１１１内に送られて、集積された結果、データ読み取り部１０５から出力されたＲＦＩＤデータに基づいて、ＲＡＭ５２に書き込まれた第二の紙幣束出金データ中の生成されるべき紙幣束に含まれる単位紙幣束の数に等しい数の単位紙幣束が、第二の紙幣帯封ユニット１１０の紙幣束集積手段１１１内に送られて、集積されたと判定したときは、ＣＰＵ５０は、第二の紙幣帯封ユニット１１０の紙幣束送り出し手段１３０に駆動信号を出力して、紙幣束集積手段１１１内に集積された第二の所定数に等しい数の単位紙幣束を、紙幣束保持手段１１２の一対の挟持部材（図示せず）の間に、送り出し、さらに、第二の紙幣帯封ユニット１１０の紙幣束保持手段１１２の一対の挟持部材を相対的に移動させるモータ１３１に駆動信号を出力して、紙幣束保持手段１１２の一対の挟持部材によって、第二の所定数に等しい数の単位紙幣束が重ね合わされて形成された紙幣束を挟持させる。
【０２４９】
次いで、ＣＰＵ５０は、第二の紙幣帯封ユニット１１０の結束テープ供給部材１１３を駆動するモータ１３２に駆動信号を出力して、結束テープ供給部材１１３を駆動させ、結束テープＴ２を、紙幣束保持手段１１２の一対の挟持部材によって挟持された第二の所定数に等しい数の単位紙幣束に向けて、繰り出させる。
【０２５０】
さらに、ＣＰＵ５０は、ＲＡＭ５２に書き込まれた紙幣に関するＲＦＩＤデータおよび帯封処理に関するＲＦＩＤデータを読み出して、駆動信号とともに、第二の紙幣帯封ユニット１１０のＲＦＩＤライター１１５を駆動するＲＦＩＤライター駆動手段１３５に出力する。
【０２５１】
その結果、第二の紙幣帯封ユニット１１０のＲＦＩＤライター１１５によって、結束テープ供給部材１１３によって繰り出された結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれる。
【０２５２】
次いで、ＣＰＵ５０は、結束テープＴ２に形成されたインレット内のＩＣチップに書き込んだ帯封処理に関するデータを、紙幣束に帯封処理を施す権限を有する金融機関によって、共同管理されている中央管理サーバ５４に出力する。こうして、中央管理サーバ５４に、紙幣束に巻回された結束テープＴ２に、紙幣処理機の第二の紙幣帯封機構３によって、書き込まれた帯封処理に関するデータが格納される。
【０２５３】
ＣＰＵ５０は、第二の紙幣帯封ユニット１１０の結束テープ供給部材１１３を駆動するモータ１３２に、さらに、駆動信号を出力して、結束テープ供給部材１１３を駆動させ、結束テープＴ２を、紙幣束保持手段１１２の一対の挟持部材によって挟持された紙幣束に供給させ、次いで、第二の紙幣帯封ユニット１１０の巻き付け手段１１４を駆動する巻き付けモータ１３３に駆動信号を出力して、巻き付け手段１１４により、紙幣保持手段１１２の一対の挟持部材によって挟持された紙幣束の略中央部に、結束テープＴ２を巻き付けさせ、第二の所定数に等しい数の単位紙幣束、たとえば、１０束の単位紙幣束を含む紙幣束を生成する。
【０２５４】
以上のように、第二の所定数に等しい数の単位紙幣束、たとえば、１０束の単位紙幣束を含む紙幣束が生成されると、ＣＰＵ５０は、生成された紙幣束の数を特定する第二の紙幣束生成データをＲＡＭ５２に書き込む。
【０２５５】
こうして、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束搬送路１１７を介して、紙幣束出金口１０１に出金される。
【０２５６】
同様の処理が繰り返され、ＲＡＭ５２に書き込まれている第二の紙幣束生成データによって特定された生成された紙幣束の数が、ＲＡＭ５２に書き込まれている第二の紙幣束データ中の生成すべき紙幣束の数に等しくなると、ＣＰＵ５０は、第二の所定数に等しい数の単位紙幣束を含む紙幣束の生成処理を終了させる。
【０２５７】
本実施態様にかかる紙幣処理機は、さらに、第一の所定数に等しい枚数の紙幣、たとえば、１００枚の紙幣を含み、紙幣束入金口１００に投入された単位紙幣束を、第二の所定数に等しい数だけ、たとえば、１０束の単位紙幣束を重ね合わせて、帯封をし、第二の所定数に等しい数の単位紙幣束を含む紙幣束を生成可能に構成されており、第一の所定数に等しい枚数の紙幣を含み、紙幣束入金口１００に投入された単位紙幣束を、第二の所定数に等しい数だけ、重ね合わせて、帯封をし、第二の所定数に等しい数の単位紙幣束を含む紙幣束を生成する場合には、オペレータによって、第二の所定数に等しい数の単位紙幣束を重ね合わせて、生成すべき紙幣束の金種および生成されるべき紙幣束に含まれる単位紙幣束の数を特定するとともに、生成すべき紙幣束の数を特定する第二の紙幣束データと、第二の紙幣束生成信号とが、キーボード７５に入力される。同時に、オペレータによって、金融機関名、支店名、紙幣処理機のＩＤデータならびにオペレータの名前などの帯封処理に関するデータがキーボード７５に入力される。
【０２５８】
オペレータによって入力された第二の紙幣束データおよび帯封処理に関するデータならびに第二の紙幣束生成信号はＣＰＵ５０に出力され、オペレータによって入力された第二の紙幣束データおよび帯封処理に関するデータならびに第二の紙幣束生成信号を受けると、ＣＰＵ５０は、オペレータによって入力された第二の紙幣束データおよび帯封処理に関するデータをＲＡＭ５２の第二の紙幣帯封機構を管理するためのデータを格納するメモリ領域に書き込むとともに、ローラ駆動手段５５ｃに駆動信号を出力して、入金紙幣束搬送路１０２、紙幣束搬送路１０３および紙幣束搬送路１１７に設けられた搬送ローラ（図示せず）を駆動する。
【０２５９】
次いで、オペレータによって、新たに生成されるべき紙幣束を構成する単位紙幣束が、紙幣束入金口１００に投入される。
【０２６０】
紙幣束入金口１００に投入された単位紙幣束は、入金紙幣束搬送路１０２および紙幣束搬送路１０３を介して、データ読み取り部１０５に送られ、データ読み取り部１０５に設けられたＲＦＩＤリーダー１０５ａによって、単位紙幣束に巻き付けられた結束テープに形成されているインレット内のＩＣチップに書き込まれた単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータが読み取られるとともに、ＲＦＩＤリーダー１０５ｂによって、単位紙幣束に含まれた紙幣に形成されているインレット内のＩＣチップに書き込まれた紙幣のＩＤデータ、金種データなどの各紙幣のＲＦＩＤデータが読み取られ、ＲＦＩＤリーダー１０５ａによって読み取られた紙幣に関するＲＦＩＤデータおよび帯封処理に関するＲＦＩＤデータならびにＲＦＩＤリーダー１０５ｂによって読み取られた各紙幣のＲＦＩＤデータは、データ読み取り部１０５からＣＰＵ５０に出力される。
【０２６１】
ＣＰＵ５０は、データ読み取り部１０５から、紙幣に関するＲＦＩＤデータおよび帯封処理に関するＲＦＩＤデータならびに各紙幣のＲＦＩＤデータを受けると、紙幣に関するＲＦＩＤデータおよび帯封処理に関するＲＦＩＤデータならびに各紙幣のＲＦＩＤデータを、ＲＡＭ５２の第二の紙幣帯封機構３を管理するためのデータを格納するメモリ領域に書き込む。
【０２６２】
次いで、ＣＰＵ５０は、データ読み取り部１０５から入力されたＲＦＩＤデータに基づき、単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致するか否かを判別する。
【０２６３】
その結果、データ読み取り部１０５から入力されたＲＦＩＤデータに基づいて判別された単位紙幣束を構成している紙幣の金種が、オペレータによって特定され、ＲＡＭ５２の第二の紙幣帯封機構を管理するためのデータを格納するメモリ領域に書き込まれている生成すべき紙幣束の金種と一致していないときは、生成された紙幣束に、異なる金種の紙幣を含む単位紙幣束が混入するおそれがあるから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、単位紙幣束を、紙幣束入金口１００に送り出す。
【０２６４】
同時に、ＣＰＵ５０は、データ読み取り部１０５から入力された単位紙幣束を構成している各紙幣のＲＦＩＤデータと結束テープＴ１に形成されたインレット中のＩＣチップに書き込まれた紙幣に関するＲＦＩＤデータとが一致しているか否かを判別するとともに、中央管理サーバ５４にアクセスして、データ読み取り手段１０５から入力された帯封処理に関するデータが、中央管理サーバ５４に格納されているか否かを判別する。
【０２６５】
その結果、単位紙幣束を構成している各紙幣のＲＦＩＤデータと結束テープＴ１に形成されたインレット中のＩＣチップに書き込まれた紙幣に関するＲＦＩＤデータとが一致していないと判別したときは、その単位紙幣束から、紙幣の一部が抜き取られ、あるいは、単位紙幣束を構成している紙幣の一部が他の紙幣に差し替えられているおそれが高いから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、単位紙幣束を、紙幣束入金口１００に送り出す。
【０２６６】
一方、データ読み取り手段１０５から入力された帯封処理に関するデータが、中央管理サーバ５４に格納されていないと判別したときは、その単位紙幣束が、紙幣束を生成する権限がない者によって生成されたおそれが高いから、ＣＰＵ５０は、ディスプレイ７７に、帯封処理を施すべきでない単位紙幣束が検出された旨を表示するとともに、ローラ駆動手段５５に、逆駆動信号を出力して、入金紙幣束搬送路１０２および紙幣束搬送路１０３に設けられた搬送ローラを逆方向に回転させて、単位紙幣束を、紙幣束入金口１００に送り出す。
【０２６７】
これに対して、単位紙幣束を構成している各紙幣のＲＦＩＤデータと結束テープＴ１に形成されたインレット中のＩＣチップに書き込まれた紙幣に関するＲＦＩＤデータとが一致し、データ読み取り手段１０５から入力された帯封処理に関するデータが、中央管理サーバ５４に格納されていると判別したときは、単位紙幣束は、データ読み取り部１０５から、第二の紙幣帯封ユニット１１０の紙幣束集積手段１１１に送られて、集積される。
【０２６８】
こうして、単位紙幣束が、次々に、紙幣束入金口１００に投入され、紙幣束入金口１００に投入された単位紙幣束が、データ読み取り部１０５を介して、第二の紙幣帯封ユニット１１０の紙幣束集積手段１１１内に送られて、集積された結果、データ読み取り部１０５から出力されたＲＦＩＤデータに基づいて、ＲＡＭ５２に書き込まれた第二の紙幣束出金データ中の生成されるべき紙幣束に含まれる単位紙幣束の数に等しい数の単位紙幣束が、第二の紙幣帯封ユニット１１０の紙幣束集積手段１１１内に送られて、集積されたと判定したときは、ＣＰＵ５０は、第二の紙幣帯封ユニット１１０の紙幣束送り出し手段１３０に駆動信号を出力して、紙幣束集積手段１１１内に集積された第二の所定数の等しい数の単位紙幣束を、紙幣束保持手段１１２の一対の挟持部材（図示せず）の間に、送り出し、さらに、第二の紙幣帯封ユニット１１０の紙幣束保持手段１１２の一対の挟持部材を相対的に移動させるモータ１３１に駆動信号を出力して、紙幣束保持手段１１２の一対の挟持部材によって、第二の所定数に等しい数の単位紙幣束が重ね合わされて形成された紙幣束を挟持させる。
【０２６９】
次いで、ＣＰＵ５０は、第二の紙幣帯封ユニット１１０の結束テープ供給部材１１３を駆動するモータ１３２に駆動信号を出力して、結束テープ供給部材１１３を駆動させ、結束テープＴ２を、紙幣束保持手段１１２の一対の挟持部材によって挟持された第二の所定数に等しい数の単位紙幣束に向けて、繰り出させる。
【０２７０】
さらに、ＣＰＵ５０は、ＲＡＭ５２に書き込まれた紙幣に関するＲＦＩＤデータおよび帯封処理に関するＲＦＩＤデータを読み出して、駆動信号とともに、第二の紙幣帯封ユニット１１０のＲＦＩＤライター１１５を駆動するＲＦＩＤライター駆動手段１３５に出力する。
【０２７１】
その結果、第二の紙幣帯封ユニット１１０のＲＦＩＤライター１１５によって、結束テープ供給部材１１３によって繰り出された結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータが書き込まれる。
【０２７２】
さらに、ＣＰＵ５０は、結束テープＴ２に形成されたインレット内のＩＣチップに書き込んだ帯封処理に関するデータを、紙幣束に帯封処理を施す権限を有する金融機関によって、共同管理されている中央管理サーバ５４に出力する。こうして、中央管理サーバ５４に、紙幣束に巻回された結束テープＴ２に、紙幣処理機の第二の紙幣帯封機構３によって、書き込まれた帯封処理に関するデータが格納される。
【０２７３】
ＣＰＵ５０は、第二の紙幣帯封ユニット１１０の結束テープ供給部材１１３を駆動するモータ１３２に、さらに、駆動信号を出力して、結束テープ供給部材１１３を駆動させ、結束テープＴ２を、紙幣束保持手段１１２の一対の挟持部材によって挟持された紙幣束に供給させ、次いで、第二の紙幣帯封ユニット１１０の巻き付け手段１１４を駆動する巻き付けモータ１３３に駆動信号を出力して、巻き付け手段１１４により、紙幣保持手段１１２の一対の挟持部材によって挟持された紙幣束の略中央部に、結束テープＴ２を巻き付けさせ、第二の所定数に等しい数の単位紙幣束、たとえば、１０束の単位紙幣束を含む紙幣束を生成する。
【０２７４】
以上のように、第二の所定数に等しい数の単位紙幣束、たとえば、１０束の単位紙幣束を含む紙幣束が生成されると、ＣＰＵ５０は、ＲＡＭ５２に、生成された紙幣束の金種および数を特定する第二の紙幣束出金データを書き込む。
【０２７５】
こうして、第一の所定数に等しい枚数の紙幣、たとえば、１００枚の紙幣に帯封が付された単位紙幣束を、第二の所定数に等しい数、たとえば、１０束だけ、束ねて、帯封を付して生成された紙幣束は、紙幣束搬送路１１７を介して、紙幣束出金口１０１に出金される。
【０２７６】
同様の処理が繰り返され、ＲＡＭ５２に書き込まれている第二の紙幣束出金データ中の生成された紙幣束の数が、ＲＡＭ５２に書き込まれている第二の紙幣束データ中の生成すべき紙幣束の数に等しくなると、ＣＰＵ５０は、第二の所定数に等しい数の単位紙幣束を含む紙幣束の生成処理を終了させる。
【０２７７】
本実施態様によれば、さらに、第一の紙幣帯封機構２の第一の紙幣帯封ユニット８０の結束テープ供給部材８７の近傍には、結束テープＴ１に形成されたインレット内のＩＣチップに、結束テープＴ１を巻き付けて、生成されるべき単位紙幣束に含まれる紙幣のＩＤデータ、金種データなどの単位紙幣束を構成する紙幣に関するＲＦＩＤデータならびに帯封処理を施した紙幣の枚数、帯封処理を施した日時、帯封処理を施した金融機関名、帯封処理の実行者などの帯封処理に関するＲＦＩＤデータを書き込むＲＦＩＤライター８８が設けられているから、第一の紙幣帯封機構２によって生成された単位紙幣束を所望のように管理することが可能になる。
【０２７８】
また、本実施態様によれば、第二の紙幣帯封機構３の第二の紙幣帯封ユニット１１０には、紙幣束に巻き付けられるべき結束テープＴ２に形成されたインレット内のＩＣチップに、生成されるべき紙幣束に含まれる各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むＲＦＩＤライター１１５が設けられているから、第二の紙幣帯封機構３によって生成された第二の所定数に等しい数の単位紙幣束を含む紙幣束を所望のように管理することが可能になる。
【０２７９】
さらに、本実施態様によれば、第一の紙幣帯封機構２によって、単位紙幣束を生成するときに、結束テープＴ１に形成されたインレット内のＩＣチップに書き込んだ帯封処理に関するＲＦＩＤデータが、紙幣束を生成する権限を有する金融機関が共同管理する中央管理サーバ５４に出力されて、格納されるように構成されているから、紙幣束入金口１００に、第一の所定数に等しい紙幣を含む単位紙幣束を投入して、第二の紙幣帯封機構３によって、第二の所定数に等しい数の単位紙幣束を含む紙幣束を生成する際に、結束テープに形成されたインレット内のＩＣチップに書き込んだ帯封処理に関するＲＦＩＤデータが、中央管理サーバ５４に格納されているか否かを判別するだけで、紙幣束入金口１００に投入された単位紙幣束が、紙幣束を生成する権限を有する金融機関によって真正に生成されたものか否かを判別して、第二の所定数に等しい数の単位紙幣束を含む紙幣束を生成することができ、したがって、紙幣処理機の紙幣束管理能力を大幅に向上させることが可能になる。
【０２８０】
本発明は、以上の実施態様に限定されることなく、特許請求の範囲に記載された発明の範囲内で種々の変更が可能であり、それらも本発明の範囲内に包含されるものであることはいうまでもない。
【０２８１】
たとえば、前記実施態様においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、紙幣に形成されたインレット中のＩＣチップに記録された紙幣のＩＤデータ、紙幣の金種データなどのＲＦＩＤデータを読み取るＲＦＩＤリーダー４０ｂとを備え、出金すべき紙幣の全部あるいは一部が重なり合って、送られていると判別した場合および出金すべき紙幣が、その短辺が紙幣の搬送方向と角度をなして送られていると判別した場合に、それらの紙幣を、紙幣回収ボックス４３内に送って、回収するように構成されているが、出金すべき紙幣が、その短辺が紙幣の搬送方向と角度をなして送られていても、出金紙幣判別部４０の下流側の出金紙幣搬送路３５に、出金すべき紙幣を、出金紙幣搬送路３５の一方に壁部に沿って、整列させる機構を設けることによって、出金すべき紙幣が、その短辺が紙幣の搬送方向と平行になるように整列させることは可能であるから、出金すべき紙幣が、その短辺が紙幣の搬送方向と角度をなして送られていると判別した場合に、その紙幣を、紙幣回収ボックス４３内に送って、回収するように構成することは必ずしも必要でない。さらに、第一の紙幣収納ボックス３０ａ、第二の紙幣収納ボックス３０ｂ、第三の紙幣収納ボックス３０ｃおよび第四の紙幣収納ボックス３０ｄから繰り出された出金すべき紙幣は、いずれも、紙幣判別部１５が検出したデータに基づいて、現に流通している真正な紙幣と判別された紙幣であり、紙幣判別部１５が検出したデータに基づいて、判別された金種にしたがって、第一の紙幣収納ボックス３０ａ、第二の紙幣収納ボックス３０ｂ、第三の紙幣収納ボックス３０ｃあるいは第四の紙幣収納ボックス３０ｄ内に収納されているから、出金紙幣判別部４０が検出したデータに基づいて、出金すべき紙幣が、現に流通している真正な紙幣であるか否かを判別することは必ずしも必要でない。また、前記実施態様においては、光学センサ手段の透過光センサが検出した紙幣の透過光データと、暫定的に決定した金種の紙幣の基準透過光データとを比較し、両者が実質的に一致していないときに、２枚以上の紙幣が、全部あるいはその一部が重なり合って、送られていると判別するように構成されているが、２枚以上の紙幣が、全部あるいはその一部が重なり合って、送られている場合には、ＲＦＩＤリーダー４０ｂから、所定の時間内に、２枚以上の紙幣のＲＦＩＤデータがＣＰＵ５０に入力されるから、ＣＰＵ５０を、ＲＦＩＤリーダー４０ｂから、所定の時間内に、２枚以上の紙幣のＲＦＩＤデータが入力されたときに、２枚以上の紙幣が、全部あるいはその一部が重なり合って、送られていると判別し、所定の時間内に、何枚の紙幣のＲＦＩＤデータが入力されたに基づいて、何枚の紙幣が重なり合って送られているかを判別するように構成することもできる。したがって、出金紙幣判別部４０は、出金すべき紙幣に形成されたインレット中のＩＣチップに記録された紙幣のＩＤデータ、紙幣の金種データなどのＲＦＩＤデータを読み取るＲＦＩＤリーダー４０ｂを備えていれば足り、出金紙幣判別部４０が、紙幣に向けて、光を発する光源と、光源から発せられ、紙幣によって反射された光を検出する反射光センサと、光源から発せられ、紙幣を透過した光を検出するセンサとを含む光学センサ手段と、紙幣の磁気的性質を検出する磁気センサを備えていることは必ずしも必要でない。さらには、出金紙幣判別部４０に送られる紙幣に、偽造紙幣や外国紙幣などが含まれている場合においても、ＲＦＩＤリーダー４０ｂは、現に流通している真正な紙幣以外を検出しないから、出金紙幣判別部４０に、ＲＦＩＤリーダー４０ｂを設け、出金紙幣判別部４０の上流側に、紙幣を検出する簡易な構成のセンサを設けておけば、出金紙幣判別部４０に、紙幣に向けて、光を発する光源と、光源から発せられ、紙幣によって反射された光を検出する反射光センサと、光源から発せられ、紙幣を透過した光を検出するセンサとを含む光学センサ手段と、紙幣の磁気的性質を検出する磁気センサを設ける必要はない。
【０２８２】
また、前記実施態様においては、紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損レベル、紙幣が１枚ずつ送られているか否かならびに紙幣の短辺が紙幣の搬送方向と平行になるように送られているか否かを判別するための光学データおよび磁気データを生成するセンサユニット１５ａと、紙幣に形成されたインレット中のＩＣチップに記録された紙幣のＩＤデータ、紙幣の金種データなどのＲＦＩＤデータを読み取るＲＦＩＤリーダー１５ｂとを備えているが、２枚以上の紙幣の全部あるいは一部が重なり合って、送られているか否かは、センサユニット１５ａに含まれる光学センサ手段の透過光センサが検出した透過光データによって判別することができ、一方、センサユニット１５ａに含まれる光学センサ手段の反射光センサが検出したデータに基づいて、金種が確定できない紙幣には、偽造紙幣および外国紙幣だけでなく、紙幣の短辺が紙幣の搬送方向と角度をなして送られている紙幣も含まれるが、紙幣判別部１５が検出した紙幣のデータに基づいて、偽造紙幣あるいは外国紙幣と判別された紙幣ならびに紙幣の短辺が紙幣の搬送方向と角度をなして送られていると判別された紙幣は、いずれも、紙幣返却口１３に送られて、オペレータに返却され、紙幣判別部１５が検出した紙幣のデータに基づいて、偽造紙幣あるいは外国紙幣と、紙幣の短辺が紙幣の搬送方向と角度をなして送られている紙幣とを区別する必要はないから、紙幣判別部１５は、センサユニット１５ａを備えていればよく、ＲＦＩＤデータを読み取るＲＦＩＤリーダー１５ｂを備えていることは必ずしも必要でない。さらに、紙幣判別部１５が、光学センサ手段を備えていれば、ＣＰＵ５０は、紙幣判別部１５が検出した紙幣のデータに基づいて、紙幣の金種および汚損レベルを判別することができるから、紙幣判別部１５に含まれるセンサユニット１５ａが、磁気センサを備えていることは必ずしも必要でない。
【０２８３】
さらに、前記実施態様においては、紙幣判別部１５は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種および汚損レベル、紙幣が１枚ずつ送られているか否かならびに紙幣の短辺が紙幣の搬送方向と平行になるように送られているか否かを判別するための光学データおよび磁気データを生成するセンサユニット１５ａと、紙幣に形成されたインレット中のＩＣチップに記録された紙幣のＩＤデータ、紙幣の金種データなどのＲＦＩＤデータを読み取るＲＦＩＤリーダー１５ｂとを備え、ＣＰＵ５０は、センサユニット１５ａに含まれた光学センサ手段の反射光センサが検出した紙幣の反射光データと、ＲＦＩＤリーダー１５ｂが読み取った紙幣のＲＦＩＤデータに基づいて、紙幣の短辺が紙幣の搬送方向と平行になるように送られているか否かを判別するように構成されているが、紙幣判別部１５に、さらに、紙幣判別部１５を通過する紙幣の両側部を検出する一対の光学センサを設け、一対の光学センサが紙幣を検出するタイミングにしたがって、ＣＰＵ５０が、紙幣の短辺が紙幣の搬送方向と平行になるように送られているか否かを判別するように構成することもできる。
【０２８４】
また、前記実施態様においては、出金紙幣判別部４０は、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、その金種、紙幣が１枚ずつ送られているか否かならびに紙幣の短辺が紙幣の搬送方向と平行になるように送られているか否かを判別するための光学データおよび磁気データを生成するセンサユニット４０ａと、紙幣に形成されたインレット中のＩＣチップに記録された紙幣のＩＤデータ、紙幣の金種データなどのＲＦＩＤデータを読み取るＲＦＩＤリーダー４０ｂとを備えているが、ＲＦＩＤリーダー４０ｂが読み取った紙幣のＲＦＩＤデータに基づいて、ＣＰＵ５０は、紙幣が、真正でかつ現に流通している紙幣か否かおよび紙幣の金種を判別することができ、また、２枚以上の紙幣の全部あるいは一部が重なり合って、送られている場合には、出金紙幣判別部４０のＲＦＩＤリーダー４０ｂから、所定の時間内に、２枚以上の紙幣のＲＦＩＤデータが、ＣＰＵ５０に入力され、ＣＰＵ５０は、ＲＦＩＤリーダー４０ｂが読み取ったＲＦＩＤデータに基づき、２枚以上の紙幣の全部あるいは一部が重なり合って、送られているか否かを判別することも可能であるから、出金紙幣判別部４０は、ＲＦＩＤリーダー４０ｂに加えて、紙幣の短辺が紙幣の搬送方向と平行になるように送られているか否かを判別するためのデータを検出するセンサを備えていればよく、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えたセンサユニット４０ａを備えていることは必ずしも必要でない。上述のように、ＣＰＵ５０は、ＲＦＩＤリーダー４０ｂが読み取った紙幣のＲＦＩＤデータに基づいて、紙幣が、真正でかつ現に流通している紙幣か否か、真正でかつ現に流通している紙幣である場合は、その金種ならびに紙幣が１枚ずつ送られているか否かを判別することができ、ＲＦＩＤリーダー４０ｂが読み取ったＲＦＩＤデータおよび反射光センサが検出した紙幣の反射光データに基づき、紙幣の短辺が紙幣の搬送方向と平行になるように送られているか否かを判別することができるから、出金紙幣判別部４０は、ＲＦＩＤリーダー４０ｂに加えて、反射光センサを備えていれば十分であるし、また、反射光センサに代えて、出金紙幣判別部４０に、紙幣判別部１５を通過する紙幣の両側部を検出する一対の光学センサを設け、一対の光学センサが紙幣を検出するタイミングにしたがって、ＣＰＵ５０が、紙幣の短辺が紙幣の搬送方向と平行になるように送られているか否かを判別するように構成することもできる。
【０２８５】
さらに、前記実施態様においては、紙幣判別部１５のセンサユニット１５ａおよび出金紙幣判別部４０のセンサユニット４０ａは、それぞれ、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備え、周知の方法によって、紙幣が、真正でかつ現に流通している紙幣か否か、真正でかつ現に流通している紙幣である場合は、紙幣の金種および汚損レベル、紙幣が１枚ずつ送られているか否かならびに紙幣の短辺が紙幣の搬送方向と平行になるように送られているか否かを判別するための光学データおよび磁気データを生成するように構成されているが、紙幣判別部１５のセンサユニット１５ａおよび出金紙幣判別部４０のセンサユニット４０ａが、紙幣に向けて、光を発する光源と、光源から発せられ、紙幣によって反射された光を検出する反射光センサと、光源から発せられ、紙幣を透過した光を検出する透過光センサとを含む光学センサ手段と、紙幣の磁気的性質を検出する磁気センサを備えていることは必ずしも必要でなく、光学センサ手段および磁気センサに代えて、紙幣に向けて、紫外線光源を発する紫外線光源と、紫外線光源から発せられた紫外線によって、紙幣に含まれた蛍光物質が励起されて、放出された蛍光を検出する光学センサを用いることもできる。
【０２８６】
また、前記実施態様においては、第一の紙幣収納ボックス３０ａ、第二の紙幣収納ボックス３０ｂ、第三の紙幣収納ボックス３０ｃおよび第四の紙幣収納ボックス３０ｄの内壁には、それぞれ、昇降可能で、かつ、対応する紙幣収納ボックスの内壁面と滑らかに連なる退避位置と、内壁面から突出した突出位置との間で、支点まわりに揺動可能に形成された一対の係止爪３２ａ、３２ａ、一対の係止爪３２ｂ、３２ｂ、一対の係止爪３２ｃ、３２ｃおよび一対の係止爪３２ｄ、３２ｄが設けられているが、第一の紙幣収納ボックス３０ａ、第二の紙幣収納ボックス３０ｂ、第三の紙幣収納ボックス３０ｃあるいは第四の紙幣収納ボックス３０ｄ内に収納された紙幣の枚数を確認する収納紙幣確認処理を実行するときに、対応する紙幣収納ボックスから、繰り出され、出金紙幣判別部４０によって判別された紙幣が、その紙幣収納ボックス内に送り返された際、それらの紙幣を、紙幣収納ボックス内に収納されている紙幣と分離して、収納することができればよく、第一の紙幣収納ボックス３０ａ、第二の紙幣収納ボックス３０ｂ、第三の紙幣収納ボックス３０ｃおよび第四の紙幣収納ボックス３０ｄの内壁に、それぞれ、昇降可能で、かつ、対応する紙幣収納ボックスの内壁面と滑らかに連なる退避位置と、内壁面から突出した突出位置との間で、支点まわりに揺動可能に形成された一対の係止爪３２ａ、３２ａ、一対の係止爪３２ｂ、３２ｂ、一対の係止爪３２ｃ、３２ｃおよび一対の係止爪３２ｄ、３２ｄを設けることは必ずしも必要でない。さらには、第一の紙幣収納ボックス３０ａ、第二の紙幣収納ボックス３０ｂ、第三の紙幣収納ボックス３０ｃあるいは第四の紙幣収納ボックス３０ｄ内に収納された紙幣の枚数を確認する収納紙幣確認処理を実行するときに、対応する紙幣収納ボックスから、繰り出され、出金紙幣判別部４０によって判別された紙幣が、その紙幣収納ボックス内に送り返された際、それらの紙幣を、紙幣収納ボックス内に収納されている紙幣と分離して、収納する機構を、第一の紙幣収納ボックス３０ａ、第二の紙幣収納ボックス３０ｂ、第三の紙幣収納ボックス３０ｃおよび第四の紙幣収納ボックス３０ｄに設けるのに代えて、第一の紙幣収納ボックス３０ａ、第二の紙幣収納ボックス３０ｂ、第三の紙幣収納ボックス３０ｃあるいは第四の紙幣収納ボックス３０ｄに加え、第一の紙幣収納ボックス３０ａ、第二の紙幣収納ボックス３０ｂ、第三の紙幣収納ボックス３０ｃあるいは第四の紙幣収納ボックス３０ｄ内に収納された紙幣がすべて繰り出されるまでの間、第一の紙幣収納ボックス３０ａ、第二の紙幣収納ボックス３０ｂ、第三の紙幣収納ボックス３０ｃあるいは第四の紙幣収納ボックス３０ｄから、繰り出され、出金紙幣判別部４０によって判別された紙幣を一時的に貯留する紙幣貯留ボックスを設けることもできる。
【０２８７】
さらに、前記実施態様においては、紙幣判別部１５によって検出されたデータに基づいて、ＣＰＵ５０は、紙幣が、真正でかつ現に流通している紙幣であるか否か、紙幣が真正でかつ現に流通している紙幣である場合には、その金種、紙幣が、１枚ずつ、搬送されているか否かならびに紙幣が、その短辺が紙幣の搬送方向と平行になるように搬送されているかを判別するように構成されているが、さらに、紙幣判別部１５によって検出されたデータに基づいて、ＣＰＵ５０が、紙幣の表裏を判別するように構成するとともに、搬送路１６と紙幣一時貯留ユニット２７との間に、紙幣の表裏を反転可能な表裏反転機構を設け、紙幣が裏向きで送られていると判別したときは、紙幣の表裏を反転させて、紙幣一時貯留ユニット２７に送るように構成することもできる。
【０２８８】
また、前記実施態様においては、紙幣一時貯留ユニット２７は、ロック部材によるロックが解除することによって、スライドさせて、紙幣処理機から取り出し可能に構成され、紙幣処理機の紙幣入金口１１に投入された紙幣の入金処理を中止する場合に、紙幣一時貯留ユニット２７の汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に一時的に貯留されていた紙幣を回収可能に構成されているが、紙幣一時貯留ユニット２７を、紙幣処理機から取り出し可能に構成することは必ずしも必要でなく、紙幣一時貯留ユニット２７の汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に一時的に貯留されていた紙幣を繰り出して、紙幣返却口１３に送り返す機構を設けて、紙幣処理機の紙幣入金口１１に投入された紙幣の入金処理を中止するときに、紙幣一時貯留ユニット２７の汚損紙幣一時貯留ボックス２８、第一の紙幣一時貯留ボックス２７ａ、第二の紙幣一時貯留ボックス２７ｂ、第三の紙幣一時貯留ボックス２７ｃおよび第四の紙幣一時貯留ボックス２７ｄ内に一時的に貯留されていた紙幣を、紙幣返却口１３に返却可能に構成し、紙幣一時貯留ユニット２７を紙幣処理機に固定するように構成することもできる。
【０２８９】
さらに、図３ないし図７に示された実施態様においては、紙幣処理機は、紙幣入出金機構１の紙幣入金口１１に投入された真正でかつ現に流通している紙幣を、一旦、第一の紙幣一時貯留ボックス２７ａ、第二の紙幣一時貯留ボックス２７ｂ、第三の紙幣一時貯留ボックス２７ｃあるいは第四の紙幣一時貯留ボックス２７ｄに収納し、紙幣入出金機構１の第一の紙幣一時貯留ボックス２７ａ、第二の紙幣一時貯留ボックス２７ｂ、第三の紙幣一時貯留ボックス２７ｃあるいは第四の紙幣一時貯留ボックス２７ｄに収納された紙幣を、第一の紙幣帯封機構２に送って、単位紙幣束を生成するように構成されているが、さらに、紙幣処理機に、搬送路１６と接続搬送路４７を選択的に接続する搬送路を設けて、紙幣処理機を、紙幣入出金機構１の紙幣入金口１１に投入された紙幣を、第一の紙幣一時貯留ボックス２７ａ、第二の紙幣一時貯留ボックス２７ｂ、第三の紙幣一時貯留ボックス２７ｃあるいは第四の紙幣一時貯留ボックス２７ｄに収納することなく、第一の紙幣帯封機構２に送って、単位紙幣束を生成することができるように構成することもできる。
【０２９０】
また、図３ないし図７に示された実施態様においては、紙幣処理機の第一の紙幣帯封機構２は、第一の紙幣集積ボックス８１および第二の紙幣集積ボックス８２を備えているが、紙幣処理機によって処理されるべき紙幣の金種の数に等しい数の紙幣集積ボックス、たとえば、４つの紙幣集積ボックスを備えていてもよく、紙幣処理機を、紙幣入出金機構１の紙幣入金口１１に投入された紙幣を、第一の紙幣一時貯留ボックス２７ａ、第二の紙幣一時貯留ボックス２７ｂ、第三の紙幣一時貯留ボックス２７ｃあるいは第四の紙幣一時貯留ボックス２７ｄに収納することなく、第一の紙幣帯封機構２に送って、単位紙幣束を生成可能に構成する場合には、紙幣処理機の第一の紙幣帯封機構２に、紙幣処理機によって処理されるべき紙幣の金種の数に等しい数の紙幣集積ボックスを設けることが好ましい。
【０２９１】
さらに、図３ないし図７に示された実施態様においては、紙幣処理機は、入金された紙幣の単位紙幣束を生成可能に構成され、さらに、第一の紙幣帯封機構２によって生成された単位紙幣束を、第二の所定数に等しい数だけ、束ねて、第二の所定数に等しい数の単位紙幣束を含む紙幣束を生成する第二の紙幣帯封機構３を備えているが、紙幣処理機に、第二の紙幣帯封機構３を一体的に設けることは必ずしも必要でない。
【０２９２】
また、図３ないし図７に示された実施態様においては、紙幣保持手段８６の一対の挟持部材８６ａ、８６ｂによって挟持された集積紙幣の略中央部に、結束テープＴ１を巻き付けて、単位紙幣束を生成するのに先立って、結束テープＴ１に形成されたインレット内のＩＣチップに、生成されるべき単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むように構成されているが、結束テープＴ１を巻き付けて、単位紙幣束を生成するのに先立って、結束テープＴ１に形成されたインレット内のＩＣチップに、生成されるべき単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むことは必ずしも必要でなく、紙幣保持手段８６の一対の挟持部材８６ａ、８６ｂによって挟持された集積紙幣の略中央部に、結束テープＴ１を巻き付けて、単位紙幣束を生成した後に、結束テープＴ１に形成されたインレット内のＩＣチップに、生成されるべき単位紙幣束に含まれる紙幣の金種データ、ＩＤデータなどの単位紙幣束を構成する紙幣に関するＲＦＩＤデータならびに金融機関名、支店名、紙幣処理機のＩＤデータ、オペレータの名前、帯封処理を実行する日時などの帯封処理に関するＲＦＩＤデータを書き込むようにすることもできる。
【０２９３】
さらに、図３ないし図７に示された実施態様においては、紙幣保持手段１１２の一対の挟持部材によって挟持された紙幣束の略中央部に、結束テープＴ２を巻き付け、第二の所定数に等しい数の単位紙幣束を含む紙幣束を生成するのに先立って、結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むように構成されているが、第二の所定数に等しい数の単位紙幣束を含む紙幣束を生成するのに先立って、結束テープＴ２に形成されたインレット内のＩＣチップに、これらのＲＦＩＤデータを書き込むことは必ずしも必要でなく、紙幣保持手段１１２の一対の挟持部材によって挟持された紙幣束の略中央部に、結束テープＴ２を巻き付け、第二の所定数に等しい数の単位紙幣束を含む紙幣束を生成し後に、結束テープＴ２に形成されたインレット内のＩＣチップに、各単位紙幣束に巻回された結束テープＴ１に形成されたインレット中のＩＣチップに書き込まれた各単位紙幣束に含まれる紙幣のＩＤデータ、金種データなどの紙幣束を構成する紙幣に関するＲＦＩＤデータおよび各単位紙幣束に含まれる紙幣の枚数、各単位紙幣束に帯封処理を施した日時、各単位紙幣束に帯封処理を施した金融機関名、各単位紙幣束の帯封処理の実行者などの各単位紙幣束の帯封処理に関するＲＦＩＤデータ、ならびに、帯封処理を施した単位紙幣束を特定するデータ、帯封処理を施した単位紙幣束の数、帯封処理を施した日時、帯封処理を施した金融機関名、帯封処理の実行者などの帯封処理に関するＲＦＩＤデータを書き込むようにすることもできる。
【０２９４】
また、図３ないし図７に示された実施態様においては、ＣＰＵ５０が、紙幣束を生成する権限を有する金融機関が共同管理する中央管理サーバ５４に接続され、第一の紙幣帯封機構２によって、単位紙幣束を生成するときに、結束テープＴ１に形成されたインレット内のＩＣチップに書き込んだ帯封処理に関するＲＦＩＤデータが、中央管理サーバ５４に出力されて、格納されるように構成され、紙幣束入金口１００に、第一の所定数に等しい紙幣を含む単位紙幣束を投入して、第二の紙幣帯封機構３によって、第二の所定数に等しい数の単位紙幣束を含む紙幣束を生成する際に、結束テープに形成されたインレット内のＩＣチップに書き込んだ帯封処理に関するＲＦＩＤデータが、中央管理サーバ５４に格納されているか否かを判別して、紙幣束入金口１００に投入された単位紙幣束が、紙幣束を生成する権限を有する金融機関によって真正に生成されたものか否かを判別するように構成されているが、ＣＰＵ５０が、紙幣束を生成する権限を有する金融機関が共同管理する中央管理サーバ５４に接続され、第一の紙幣帯封機構２によって、単位紙幣束を生成するときに、結束テープＴ１に形成されたインレット内のＩＣチップに書き込んだ帯封処理に関するＲＦＩＤデータが、紙幣束を生成する権限を有する金融機関が共同管理する中央管理サーバ５４に格納されるように構成されていることは必ずしも必要でなく、ＲＦＩＤリーダー１０５ｂによって読み取られた各紙幣のＲＦＩＤデータと、ＲＦＩＤリーダー１０５ａによって読み取られた紙幣に関するＲＦＩＤデータとを比較して、紙幣束入金口１００に投入された単位紙幣束が、紙幣束を生成する権限を有する金融機関によって真正に生成されたものか否かを判別するように構成することもできる。
【０２９５】
さらに、図３ないし図７に示された実施態様においては、第一の紙幣帯封ユニット８０の第一の紙幣集積ボックス８１および第二の紙幣集積ボックス８２、紙幣保持手段８６、巻き付け手段、ＲＦＩＤライター８８およびＲＦＩＤライター８８の近傍の結束テープＴ１の搬送路は、結束テープＴ１に形成されたインレット内のＩＣチップにＲＦＩＤデータを書き込む際に、ＲＦＩＤライター８８から発信される周波数の電波を遮蔽する材料によって形成されたケーシング８９によって覆われているが、結束テープＴ１に形成されたインレット内のＩＣチップに、あらかじめ、固有のＩＤデータが書き込まれ、ＩＣチップが、書き込まれた固有のＩＤデータとともに、ＲＦＩＤライター８８から発信された電波以外は受信しないように構成されている場合には、第一の紙幣帯封ユニット８０の第一の紙幣集積ボックス８１および第二の紙幣集積ボックス８２、紙幣保持手段８６、巻き付け手段、ＲＦＩＤライター８８およびＲＦＩＤライター８８の近傍の結束テープＴ１の搬送路が、ＲＦＩＤライター８８から発信される周波数の電波を遮蔽する材料によって形成されたケーシング８９によって覆われていることは必ずしも必要でない。
【０２９６】
また、図３ないし図７に示された実施態様においては、第二の紙幣帯封ユニット１１０の紙幣束集積手段１１１、紙幣束保持部材１１２、巻き付け手段１１４、ＲＦＩＤライター１１５およびＲＦＩＤライター１１５の近傍の結束テープＴ２の搬送路は、結束テープＴ２に形成されたインレット内のＩＣチップにＲＦＩＤデータを書き込む際に、ＲＦＩＤライター１１５から発信される周波数の電波を遮蔽する材料によって形成されたケーシング１１６によって覆われているが、結束テープＴ２に形成されたインレット内のＩＣチップに、あらかじめ、固有のＩＤデータが書き込まれ、ＩＣチップが、書き込まれた固有のＩＤデータとともに、ＲＦＩＤライター１１５から発信された電波以外は受信しないように構成されている場合には、第二の紙幣帯封ユニット１１０の紙幣束集積手段１１１、紙幣束保持部材１１２、巻き付け手段１１４、ＲＦＩＤライター１１５およびＲＦＩＤライター１１５の近傍の結束テープＴ２の搬送路が、ＲＦＩＤライター１１５から発信される周波数の電波を遮蔽する材料によって形成されたケーシング１１６によって覆われていることは必ずしも必要でない。
【図面の簡単な説明】
【０２９７】
【図１】図１は、本発明の好ましい実施態様にかかる紙幣処理機の略縦断面図である。
【図２】図２は、図１に示された紙幣処理機の制御系、検出系、駆動系、入力系および表示系を示すブロックダイアグラムである。
【図３】図３は、本発明の別の好ましい実施態様にかかる紙幣処理機の略縦断面図である。
【図４】図４は、図３に示された紙幣処理機の制御系、検出系、駆動系、入力系および表示系を示すブロックダイアグラムである。
【図５】図５は、図３に示された紙幣処理機の紙幣入出金機構の駆動系を示すブロックダイアグラムである。
【図６】図６は、図３に示された紙幣処理機の第一の紙幣帯封機構の駆動系を示すブロックダイアグラムである。
【図７】図７は、図３に示された紙幣処理機の第二の紙幣帯封機構の駆動系を示すブロックダイアグラムである。
【符号の説明】
【０２９８】
１  紙幣入出金機構
２  第一の紙幣帯封機構
３  第二の紙幣帯封機構
１０  ハウジング
１０ａ  サブハウジング
１０ｂ  サブハウジング
１０ｃ  サブハウジング
１１  紙幣入金口
１２  紙幣出金口
１３  紙幣返却口
１４  搬送路
１５  紙幣判別部
１５ａ  センサユニット
１５ｂ  ＲＦＩＤリーダー
１５ｃ  ケーシング
１６  搬送路
１７  分岐搬送路
１８  ゲート部材
１９  分岐搬送路
２０  分岐搬送路
２１  分岐搬送路
２２  分岐搬送路
２３  ゲート部材
２４  ゲート部材
２５  ゲート部材
２６  ゲート部材
２７  紙幣一時貯留ユニット
２７ａ  第一の紙幣一時貯留ボックス
２７ｂ  第二の紙幣一時貯留ボックス
２７ｃ  第三の紙幣一時貯留ボックス
２７ｄ  第四の紙幣一時貯留ボックス
２８  汚損紙幣一時貯留ボックス
３０  紙幣収納ユニット
３０ａ  第一の紙幣収納ボックス
３０ｂ  第二の紙幣収納ボックス
３０ｃ  第三の紙幣収納ボックス
３０ｄ  第四の紙幣収納ボックス
３１  汚損紙幣収納ボックス
３２ａ  第一の紙幣収納ボックスの係止爪
３２ｂ  第二の紙幣収納ボックスの係止爪
３２ｃ  第三の紙幣収納ボックスの係止爪
３２ｄ  第四の紙幣収納ボックスの係止爪
３３ａ  第一の紙幣繰り出し部
３３ｂ  第二の紙幣繰り出し部
３３ｃ  第三の紙幣繰り出し部
３３ｄ  第四の紙幣繰り出し部
３５  出金紙幣搬送路
４０  出金紙幣判別部
４０ａ  センサユニット
４０ｂ  ＲＦＩＤリーダー
４０ｃ  ケーシング
４１  分岐搬送路
４２  ゲート部材
４３  紙幣回収ボックス
４５  分岐搬送路
４６  ゲート部材
４７  接続搬送路
４８  ゲート部材
５０  ＣＰＵ
５１  ＲＯＭ
５２  ＲＡＭ
５３  時計
５４  中央管理サーバ
５５  ローラ駆動手段
５６  ソレノイド
５７  ソレノイド
５８  ソレノイド
５９  ソレノイド
６０  ソレノイド
６１  ソレノイド
６２  ソレノイド
６３  ソレノイド
６４ａ  ソレノイド手段
６４ｂ  ソレノイド手段
６４ｃ  ソレノイド手段
６４ｄ  ソレノイド手段
６５  ソレノイド
６６  ソレノイド
６７  ソレノイド
６８  ソレノイド
６９  ソレノイド
７０ａ  モータ
７０ｂ  モータ
７０ｃ  モータ
７０ｄ  モータ
７５  キーボード
７７  ディスプレイ
８０  第一の紙幣帯封ユニット
８１  第一の紙幣集積ボックス
８２  第二の紙幣集積ボックス
８３  第一の分岐搬送路
８４  第二の分岐搬送路
８５  ゲート部材
８６  紙幣保持手段
８６ａ、８６ｂ  挟持部材
８７  結束テープ供給部材
８８  ＲＦＩＤライター
８９  ケーシング
９０  紙幣束収納ユニット
９０ａ  第一の紙幣束収納ボックス
９０ｂ  第二の紙幣束収納ボックス
９０ｃ  第三の紙幣束収納ボックス
９０ｄ  第四の紙幣束収納ボックス
９１  紙幣束搬送機構
９２  紙幣束搬送路
９３ａ  第一の紙幣束繰り出し部
９３ｂ  第二の紙幣束繰り出し部
９３ｃ  第三の紙幣束繰り出し部
９３ｄ  第四の紙幣束繰り出し部
９５  紙幣束出金搬送路
９６  接続搬送路
９７  ゲート部材
９８  紙幣束出金口
９９  紙幣束検出部
９９ａ  ＲＦＩＤリーダー
９９ｂ  ケーシング
１００  紙幣束入金口
１０１  紙幣束出金口
１０２  入金紙幣束搬送路
１０３  紙幣束搬送路
１０５  データ読み取り部
１０５ａ  ＲＦＩＤリーダー
１０５ｂ  ＲＦＩＤリーダー
１０５ｃ  ケーシング
１０７  紙幣束搬送路
１１０  第二の紙幣帯封ユニット
１１１  紙幣束集積手段
１１２  紙幣束保持部材
１１３  結束テープ供給部材
１１４  巻き付け手段
１１５  ＲＦＩＤライター
１１６  ケーシング
１１７  紙幣束搬送路
１２０  ソレノイド
１２１  第一の集積紙幣送り出し手段
１２２  第二の集積紙幣送り出し手段
１２３  モータ
１２４  モータ
１２５  モータ
１２６  巻き付けモータ
１２７  ＲＦＩＤライター駆動手段
１２８  紙幣束搬送機構駆動手段
１２９  ソレノイド
１３０  紙幣束送り出し手段
１３１  モータ
１３２  モータ
１３３  巻き付けモータ
１３５  ＲＦＩＤライター駆動手段
１５１  紙幣入出金機構の検出系
１５２  第一の紙幣帯封機構の検出系
１５３  第二の紙幣帯封機構の検出系
１６１  紙幣入出金機構の駆動系
１６２  第一の紙幣帯封機構の駆動系
１６３  第二の紙幣帯封機構の駆動系
【図１】
0004832026.tif 000002
【図２】
0004832026.tif 000003
【図３】
0004832026.tif 000004
【図４】
0004832026.tif 000005
【図５】
0004832026.tif 000006
【図６】
0004832026.tif 000007
【図７】
0004832026.tif 000008